(57)【要約】【課題】光波長を安定して設定することを課題とする。【解決手段】所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムであって、波長多重光伝送装置は、トランスポンダに出力させる光信号の光波長情報を保持し、保持された光波長情報を、接続ケーブルを用いてトランスポンダに伝送し、トランスポンダは、伝送された光波長情報を利用して、波長多重部に入力する光信号の光波長を制御する。【選択図】        図１
2008028928.tif 000002
【特許請求の範囲】
【請求項１】
所定の光波長による光信号を出力するトランスポンダと、当該トランスポンダから入力された光信号の波長を多重する波長多重部および多重された光信号の波長を分離して当該トランスポンダに入力する波長分離部を含んで構成される波長多重光伝送装置と、当該トランスポンダおよび当該波長分離部を接続する接続ケーブルとを含んで構成される波長多重光伝送システムであって、
前記波長多重光伝送装置は、
前記トランスポンダに出力させる光信号の光波長情報を保持する光波長情報保持手段と、
前記光波長情報保持手段によって保持された前記光波長情報を、前記接続ケーブルを用いて前記トランスポンダに伝送する光波長情報伝送手段とを備え、
前記トランスポンダは、
前記光波長情報伝送手段によって伝送された前記光波長情報を利用して、前記波長多重部に入力する光信号の光波長を制御する光波長制御手段と、
を備えたことを特徴とする波長多重光伝送システム。
【請求項２】
前記光波長情報伝送手段は、前記光波長情報を所定の光波長による光信号に変換して前記トランスポンダに伝送し、
前記光波長制御手段は、前記光波長情報伝送手段によって伝送された前記光信号から前記光波長情報を抽出し、抽出した当該光波長情報に対応する光波長の光信号が前記波長多重部に入力されるように前記光信号の光波長を制御することを特徴とする請求項１に記載の波長多重光伝送システム。
【請求項３】
前記光波長情報伝送手段は、前記光波長情報を当該光波長情報に対応づけられた回数の光パルスを発光することで前記トランスポンダに伝送し、
前記光波長制御手段は、前記光波長情報伝送手段によって伝送された前記光パルスを受光した回数を取得し、当該回数に対応づけられた前記光波長情報に対応する光波長の光信号が前記波長多重部に入力されるように前記光信号の光波長を制御することを特徴とする請求項１に記載の波長多重光伝送システム。
【請求項４】
前記波長多重光伝送装置は、前記トランスポンダから出力される光信号を検出して当該光信号が変調された周波数を検出する変調検出手段をさらに備え、
前記光波長情報伝送手段は、前記光波長情報保持手段によって保持された前記光波長情報と、前記変調検出手段によって検出された周波数に対応づけられた光波長情報とを比較し、一致した場合に発光することで、当該光波長情報を前記トランスポンダに伝送し、
前記光波長制御手段は、所定の光波長情報に対応づけられた周波数で変調した光信号を前記波長多重部に入力し、また、前記光波長情報伝送手段によって伝送された前記発光を受光して前記変調を停止することを特徴とする請求項１に記載の波長多重光伝送システム。
【請求項５】
所定の光波長による光信号を出力するトランスポンダと、当該トランスポンダから入力された光信号の波長を多重する波長多重部および多重された光信号の波長を分離して当該トランスポンダに入力する波長分離部を含んで構成される波長多重光伝送装置と、当該トランスポンダおよび当該波長分離部を接続する接続ケーブルとを含んで構成される波長多重光伝送方法であって、
前記波長多重光伝送装置は、
前記トランスポンダに出力させる光信号の光波長情報を保持する光波長情報保持工程と、
前記光波長情報保持工程によって保持された前記光波長情報を、前記接続ケーブルを用いて前記トランスポンダに伝送する光波長情報伝送工程とを含み、
前記トランスポンダは、
前記光波長情報伝送工程によって伝送された前記光波長情報を利用して、前記波長多重部に入力する光信号の光波長を制御する光波長制御工程と、
を含んだことを特徴とする波長多重光伝送方法。
【発明の詳細な説明】
【技術分野】
【０００１】
この発明は、波長多重光伝送システムおよび波長多重光伝送方法に関する。
【背景技術】
【０００２】
従来より、光通信ネットワークの分野においては、光ファイバーケーブル１回線あたりの伝送容量を増大させることを目的として、１本の光ファイバーケーブルに複数の異なる波長の光信号を多重する方式のＷＤＭ（Wavelength Division Multiplex：波長分離多重）システムが主流となっている。このＷＤＭシステムの構築にあたっては、広帯域波長の光信号を狭帯域波長の光信号へと変換するトランスポンダが必要となるが、近年の波長多重数の増加に伴い、このトランスポンダも多波長化している。すなわち、特定の波長にのみ対応可能なトランスポンダではなく、波長の切替えが可能なトランスポンダが多く利用されている。
【０００３】
ここで、波長の切替えが可能なトランスポンダが特定の光波長で光信号を出力するには、特定の光波長がトランスポンダに対して設定されなければならない。かつて、この設定は、図１８に示すように、人為的な設定によって行われていた。具体的に説明すると、まず、トランスポンダと波長多重光伝送装置における波長多重部および波長分離部との物理的な接続に関する情報（例えば、トランスポンダと波長多重部の各ポートとの接続情報、トランスポンダと波長分離部の各ポートとの接続情報など）が人為的に確認され、図１８に示す制御端末によって、波長多重光伝送装置における制御部に人為的に設定される。また、波長多重部および波長分離部の各ポートは、各々特定の光波長にのみ対応するポートであるので、制御端末によって、各々のポートに対応する特定の光波長情報も人為的に設定される（図１８の（１）を参照）。次に、設定されたこれらの情報が、波長多重光伝送装置における制御部からトランスポンダを制御する制御部に通知される（図１８の（２）を参照）。すると、トランスポンダを制御する制御部は、通知された光波長情報を元に、トランスポンダに対して特定の光波長を設定する（図１８の（３）を参照）。
【０００４】
もっとも、トランスポンダに対する光波長の設定が、上記したような人為的な確認や設定によって行われると、波長多重数の増加に伴い、人為的な作業の負担や操作ミスの可能性が高くなるおそれがある。このため、特許文献１では、トランスポンダから出力される光の強度を検出してトランスポンダに対する光波長の設定を行う手法が提案されている。また、特許文献２では、トランスポンダから出力される光自体を検出してトランスポンダに対する光波長の設定を行う手法が提案されている。
【０００５】
具体的に説明すると、特許文献１では、図１９に示すように、トランスポンダにおいて、光波長を順に変化させて光信号を出力する（図１９の（１）を参照）。一方、波長多重光伝送装置においては、バンドパスフィルタに入力される光信号の光強度と、バンドパスフィルタから出力される光信号の光強度とを検出し、両者の差分値を計算する（図１９の（２）を参照）。そして、上記したそれぞれの処理（図１９の（１）および（２））を繰り返して各々の差分値を計算し、差分値が最も小さい時が、バンドパスフィルタに適する光波長の光信号がトランスポンダから出力された時であるとして、波長多重光伝送装置は、この時の光波長をトランスポンダに通知する（図１９の（３）を参照）。
【０００６】
また、特許文献２では、図２０に示すように、トランスポンダにおいて、光波長を順に変化させて光信号を出力する（図２０の（１）を参照）。一方、波長多重光伝送装置においては、合波器から出力された光信号をフォトダイオードで受光し、そのレベルに応じた検出信号（電流）を出力し、発光ダイオードに供給する（図２０の（２）を参照）。そして、検出信号を供給された発光ダイオードは、検出信号レベルに応じて発光し、トランスポンダからの光信号の進行方向とは逆方向に進む戻り光となる（図２０の（３）を参照）。すると、この戻り光は、トランスポンダにおいて、フォトダイオードにより検出され、その検出信号が波長制御部に通知される（図２０の（４）を参照）。ここで、合波器のポートは、特定の波長の光信号のみを通過させるポートであるので、波長多重光伝送装置におけるフォトダイオードで受光した時が、合波器のポートに適する波長の光信号がトランスポンダから出力された時であり、すなわち、トランスポンダにおいて戻り光が検出された時が、合波器に適する波長の光信号がトランスポンダから出力された時となる。
【０００７】
【特許文献１】特開２００４−２７４１１３号公報
【特許文献２】特開２００５−２７７６８６号公報
【発明の開示】
【発明が解決しようとする課題】
【０００８】
ところで、上記した従来の技術では、以下に説明するように、装置の動作不良の場合などに、光の強度や光自体が正確に検出されない結果、光波長を安定して設定することができないという課題がある。
【０００９】
具体的に説明すると、特許文献１で提案されている手法は、トランスポンダから出力される光の強度を検出してトランスポンダに対する光波長の設定を行う手法であるので、装置の動作不良の場合など（例えば、波長多重光伝送装置におけるバンドパスフィルタの動作不良の場合など）には、光の強度を正確に検出することができない結果、光波長を安定して設定することができない。また、特許文献２で提案されている手法は、トランスポンダから出力される光自体を検出してトランスポンダに対する光波長の設定を行う手法であるので、同じく、装置の動作不良の場合など（例えば、波長多重光伝送装置における合波器のポート不良など）には、光自体を検出することができない結果、光波長を安定して設定することができない。
【００１０】
そこで、この発明は、上記した従来技術の課題を解決するためになされたものであり、光波長を安定して設定することが可能な波長多重光伝送システムおよび波長多重光伝送方法を提供することを目的とする。
【課題を解決するための手段】
【００１１】
上述した課題を解決し、目的を達成するため、請求項１に係る発明は、所定の光波長による光信号を出力するトランスポンダと、当該トランスポンダから入力された光信号の波長を多重する波長多重部および多重された光信号の波長を分離して当該トランスポンダに入力する波長分離部を含んで構成される波長多重光伝送装置と、当該トランスポンダおよび当該波長分離部を接続する接続ケーブルとを含んで構成される波長多重光伝送システムであって、前記波長多重光伝送装置は、前記トランスポンダに出力させる光信号の光波長情報を保持する光波長情報保持手段と、前記光波長情報保持手段によって保持された前記光波長情報を、前記接続ケーブルを用いて前記トランスポンダに伝送する光波長情報伝送手段とを備え、前記トランスポンダは、前記光波長情報伝送手段によって伝送された前記光波長情報を利用して、前記波長多重部に入力する光信号の光波長を制御する光波長制御手段と、を備えたことを特徴とする。
【００１２】
また、請求項２に係る発明は、上記の発明において、前記光波長情報伝送手段は、前記光波長情報を所定の光波長による光信号に変換して前記トランスポンダに伝送し、前記光波長制御手段は、前記光波長情報伝送手段によって伝送された前記光信号から前記光波長情報を抽出し、抽出した当該光波長情報に対応する光波長の光信号が前記波長多重部に入力されるように前記光信号の光波長を制御することを特徴とする。
【００１３】
また、請求項３に係る発明は、上記の発明において、前記光波長情報伝送手段は、前記光波長情報を当該光波長情報に対応づけられた回数の光パルスを発光することで前記トランスポンダに伝送し、前記光波長制御手段は、前記光波長情報伝送手段によって伝送された前記光パルスを受光した回数を取得し、当該回数に対応づけられた前記光波長情報に対応する光波長の光信号が前記波長多重部に入力されるように前記光信号の光波長を制御することを特徴とする。
【００１４】
また、請求項４に係る発明は、上記の発明において、前記波長多重光伝送装置は、前記トランスポンダから出力される光信号を検出して当該光信号が変調された周波数を検出する変調検出手段をさらに備え、前記光波長情報伝送手段は、前記光波長情報保持手段によって保持された前記光波長情報と、前記変調検出手段によって検出された周波数に対応づけられた光波長情報とを比較し、一致した場合に発光することで、当該光波長情報を前記トランスポンダに伝送し、前記光波長制御手段は、所定の光波長情報に対応づけられた周波数で変調した光信号を前記波長多重部に入力し、また、前記光波長情報伝送手段によって伝送された前記発光を受光して前記変調を停止することを特徴とする。
【００１５】
また、請求項５に係る発明は、所定の光波長による光信号を出力するトランスポンダと、当該トランスポンダから入力された光信号の波長を多重する波長多重部および多重された光信号の波長を分離して当該トランスポンダに入力する波長分離部を含んで構成される波長多重光伝送装置と、当該トランスポンダおよび当該波長分離部を接続する接続ケーブルとを含んで構成される波長多重光伝送方法であって、前記波長多重光伝送装置は、前記トランスポンダに出力させる光信号の光波長情報を保持する光波長情報保持工程と、前記光波長情報保持工程によって保持された前記光波長情報を、前記接続ケーブルを用いて前記トランスポンダに伝送する光波長情報伝送工程とを含み、前記トランスポンダは、前記光波長情報伝送工程によって伝送された前記光波長情報を利用して、前記波長多重部に入力する光信号の光波長を制御する光波長制御工程と、を含んだことを特徴とする。
【発明の効果】
【００１６】
請求項１または５の発明によれば、所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムであって、波長多重光伝送装置は、トランスポンダに出力させる光信号の光波長情報を保持し、保持された光波長情報を、接続ケーブルを用いてトランスポンダに伝送し、トランスポンダは、伝送された光波長情報を利用して、波長多重部に入力する光信号の光波長を制御するので、装置の動作不良の場合などにも、トランスポンダに対して問題なく特定の光波長を設定できることから、光波長を安定して設定することが可能になる。
【００１７】
また、請求項２の発明によれば、波長多重光伝送装置は、光波長情報を所定の光波長による光信号に変換してトランスポンダに伝送し、トランスポンダは、伝送された光信号から光波長情報を抽出し、抽出した光波長情報に対応する光波長の光信号が波長多重部に入力されるように光信号の光波長を制御するので、装置の動作不良の場合などにも、トランスポンダに対して問題なく特定の光波長を設定できることから、光波長を安定して設定することが可能になる。また、光波長情報自体を伝送する手法であることから、光波長情報に対応づけられた回数の光パルスを発光する手法などに比較して、光波長を精度よく設定することが可能になる。
【００１８】
また、請求項３の発明によれば、波長多重光伝送装置は、光波長情報を光波長情報に対応づけられた回数の光パルスを発光することでトランスポンダに伝送し、トランスポンダは、伝送された光パルスを受光した回数を取得し、回数に対応づけられた光波長情報に対応する光波長の光信号が波長多重部に入力されるように光信号の光波長を制御するので、装置の動作不良の場合などにも、トランスポンダに対して問題なく特定の光波長を設定できることから、光波長を安定して設定することが可能になる。また、光波長情報に対応づけられた回数の光パルスを発光する手法であることから、光波長情報を伝送する手法などに比較して、光波長をより単純に設定することが可能になる。
【００１９】
また、請求項４の発明によれば、波長多重光伝送装置は、トランスポンダから出力される光信号を検出して光信号が変調された周波数を検出し、保持された光波長情報と、検出された周波数に対応づけられた光波長情報とを比較し、一致した場合に発光することで、光波長情報をトランスポンダに伝送し、トランスポンダは、所定の光波長情報に対応づけられた周波数で変調した光信号を波長多重部に入力し、また、光波長情報伝送手段によって伝送された発光を受光して変調を停止するので、装置の動作不良の場合などにも、トランスポンダに対して問題なく特定の光波長を設定できることから、光波長を安定して設定することが可能になる。また、トランスポンダと波長多重光伝送装置とが相互にやりとりしながら光波長情報を設定する手法であることから、波長多重光伝送装置からトランスポンダに対して一方的に光波長情報を伝送する手法などに比較して、光波長を確実に設定することが可能になる。
【発明を実施するための最良の形態】
【００２０】
以下に添付図面を参照して、この発明に係る波長多重光伝送システムおよび波長多重光伝送方法の実施例を詳細に説明する。なお、以下では、実施例で用いる主要な用語、実施例１に係る波長多重光伝送システムの概要および特徴、実施例１に係る波長多重光伝送システムの構成および処理の手順、実施例１の効果を順に説明し、次に、実施例２および実施例３について同様に説明し、最後に、他の実施例について説明する。
【実施例１】
【００２１】
［用語の説明］
まず最初に、以下の実施例で用いる主要な用語を説明する。「波長多重光伝送システム」とは、光通信ネットワークを実現するシステムであって、１本の光ファイバーケーブルに複数の異なる光波長の光信号を多重する方式のＷＤＭ（Wavelength Division Multiplex）システムを実現するシステムである。この波長多重光伝送システムは、以下の実施例において、ひとつまたは複数の「トランスポンダ」と、「波長多重光伝送装置」とで構成される。また、このような構成の波長多重光伝送システムがネットワークを挟んで対抗して設置されることで、ＷＤＭ方式による光通信がネットワークを経由して行われる。
【００２２】
ここで、上記した「トランスポンダ」および「波長多重光伝送装置」について具体的に説明すると、「トランスポンダ」とは、クライアント側から入力された広帯域波長の光信号を、狭帯域波長の光信号へと変換して出力し、波長多重光伝送装置に入力する装置のことである。また、近年、ＷＤＭシステムにおいて多重させる光波長の数が増加していることから、トランスポンダは、光波長の切替えが可能であることを求められている。すなわち、光波長の切替え可能な半導体レーザー（Tunable LD）が、トランスポンダ内部において利用される。このような光波長の切替え可能なトランスポンダは、外部から設定された特定の光波長の光信号を出力することになる。
【００２３】
一方、「波長多重光伝送装置」は、ひとつまたは複数のトランスポンダから入力された狭帯域波長の光信号を、「波長多重部」において多重し、伝送に必要な光レベルまで光増幅して、ネットワーク側に出力する。また、「波長多重光伝送装置」は、ネットワーク側から入力された光信号を、伝送において劣化した光レベルを回復するべく光増幅し、「波長分離部」において各々の光波長に分離し、ひとつまたは複数のトランスポンダにそれぞれ出力する。
【００２４】
ところで、トランスポンダと波長多重光伝送装置との関係について考えると、波長多重光伝送装置における波長多重部の各ポートは、それぞれ特定の光波長にのみ対応し、波長多重光伝送装置における波長分離部の各ポートは、それぞれ特定の光波長にのみ対応するので、特定の光波長を出力するトランスポンダと、この特定の光波長にのみ対応する波長多重部の特定のポートと、同じくこの特定の光波長にのみ対応する波長分離部の特定のポートとは、セットとして考えることが可能である。このため、セットであるトランスポンダと波長多重部の特定のポートとが接続ケーブルで接続され、セットであるトランスポンダと波長分離部の特定のポートとが接続ケーブルで接続される。
【００２５】
すなわち、トランスポンダから出力された特定の光波長の光信号が、この特定の光波長にのみ対応する波長多重部の特定のポートに入力され、また、この特定の光波長の光信号にのみ対応する波長分離部の特定のポートから出力された光信号が、このトランスポンダに入力される状態が、光波長の切替え可能なトランスポンダに、適切な光波長が設定された状態である。
【００２６】
［実施例１に係る波長多重光伝送システムの概要および特徴］
続いて、図１を用いて、実施例１に係る波長多重光伝送システムの概要および特徴を説明する。図１は、実施例１に係る波長多重光伝送システムの概要および特徴を説明するための図である。
【００２７】
実施例１に係る波長多重光伝送システムは、上記したように、所定の光波長による光信号を出力するトランスポンダと、このトランスポンダから入力された光信号の波長を多重する波長多重部および多重された光信号の波長を分離してこのトランスポンダに入力する波長分離部を含んで構成される波長多重光伝送装置と、このトランスポンダおよびこの波長分離部を接続する接続ケーブルとを含んで構成されることを概要とし、光波長を安定して設定することを主たる特徴とする。
【００２８】
この主たる特徴について簡単に説明すると、実施例１に係る波長多重光伝送システムにおいて、波長多重光伝送装置の光波長情報保持部は、図１に示すように、トランスポンダに出力させる光信号の光波長情報を保持する（図１の（１）を参照）。
【００２９】
波長多重光伝送システムにおいて、波長多重光伝送装置の光波長情報伝送部は、光波長情報保持部に保持された光波長情報を、接続ケーブルを用いてトランスポンダに伝送する（図１の（２）を参照）。具体的には、実施例１における光波長情報伝送部は、光波長情報を、主信号が使用しない所定の光波長による光信号に変換して伝送する。
【００３０】
すると、波長多重光伝送システムにおいて、トランスポンダの光波長制御部は、光波長情報伝送部によって伝送された光波長情報を利用して、波長多重部に入力する光信号の光波長を制御する（図１の（３）を参照）。具体的には、実施例１における光波長制御部は、光波長情報伝送部によって伝送された光信号から光波長情報を抽出し、抽出した光波長情報に対応する光波長の光信号が波長多重部に入力されるように、光信号の光波長を制御する。
【００３１】
このようにして、実施例１に係る波長多重光伝送システムは、装置の動作不良の場合などにも、トランスポンダに対して問題なく特定の光波長を設定できることから、光波長を安定して設定することが可能になる。また、光波長情報自体を伝送する手法であることから、光波長情報に対応づけられた回数の光パルスを発光する手法などに比較して、光波長を精度よく設定することが可能になる。
【００３２】
［実施例１に係る波長多重光伝送システムの構成］
次に、図２〜図４を用いて、実施例１に係る波長多重光伝送システムの構成を説明する。図２は、実施例１に係る波長多重光伝送システムの構成を示すブロック図であり、図３は、光波長情報保持部を説明するための図であり、図４は、実施例１に係る波長多重光伝送システムの全体構成を示すブロック図である。
【００３３】
図２に示すように、実施例１に係る波長多重光伝送システム１０は、トランスポンダ２０と、波長多重光伝送装置３０と、トランスポンダ２０および波長多重光伝送装置３０を接続する接続ケーブルとから構成される。以下では、まず、トランスポンダ２０および波長多重光伝送装置３０について構成を説明し、次に、波長多重光伝送システム１０の全体構成について説明する。
【００３４】
［トランスポンダ２０の構成］
トランスポンダ２０は、所定の光波長による光信号を出力する手段であり、特にこの発明に密接に関連するものとしては、図２に示すように、Ｏ／Ｅ変換部２１と、フレーム処理部２２と、Ｅ／Ｏ変換部２３と、分波部２４と、Ｏ／Ｅ変換部２５と、Ｅ／Ｏ変換部２６と、光波長制御部２７とを備える。なお、光波長制御部２７は、特許請求の範囲に記載の「光波長制御手段」に対応する。
【００３５】
かかるトランスポンダ２０のなかで、Ｏ／Ｅ変換部２１は、光（Optical）信号を電気（Electrical）信号に変換する手段である。具体的には、Ｏ／Ｅ変換部２１は、クライアント側の端末とフレーム処理部２２との間に接続され、クライアント側の端末から入力された光信号を、電気信号に変換して出力し、フレーム処理部２２に入力する。
【００３６】
フレーム処理部２２は、データを固定長に分割し、制御情報などを付加してフレーム構成を組む処理や、フレーム構成を組まれたデータからフレームを外す処理を行う手段である。具体的には、フレーム処理部２２は、Ｏ／Ｅ変換部２１とＥ／Ｏ変換部２３との間に接続され、Ｏ／Ｅ変換部２１から入力された電気信号のデータを、固定長に分割し、制御情報などを付加してフレーム構成を組んで出力し、Ｅ／Ｏ変換部２３に入力する。また、フレーム処理部２２は、Ｏ／Ｅ変換部２５とＥ／Ｏ変換部２６との間に接続され、Ｏ／Ｅ変換部２５から入力された電気信号のデータからフレームを外して出力し、Ｅ／Ｏ変換部２６に入力する。
【００３７】
Ｅ／Ｏ変換部２３は、電気（Electrical）信号を光（Optical）信号に変換し、狭帯域光波長（ＮＢ：Narrow Band）を出力する手段である。具体的には、Ｅ／Ｏ変換部２３は、フレーム処理部２２と波長多重光伝送装置３０との間に接続され、フレーム処理部２２から入力された電気信号を、光信号に変換し、狭帯域光波長を出力し、波長多重光伝送装置３０に入力する。また、Ｅ／Ｏ変換部２３は、光波長制御部２７にも接続され、光波長制御部２７から入力された光波長情報に対応する光波長の光信号を出力し、波長多重光伝送装置３０に入力する。
【００３８】
分波部２４は、異なる光波長が合波された光信号を、それぞれの光波長に分ける手段である。具体的には、分波部２４は、波長多重光伝送装置３０と、Ｏ／Ｅ変換部２５および光波長制御部２７との間に接続され、異なる光波長が合波されて波長多重光伝送装置３０から入力された光信号を、それぞれの光波長に分けて出力し、Ｏ／Ｅ変換部２５と光波長制御部２７とにそれぞれ入力する。ここで、実施例１において波長多重光伝送装置３０から入力される光信号は、主信号と光波長情報とが合波されて伝送されるものであるので、分波部２４は、波長多重光伝送装置３０から入力された光信号を、主信号と光波長情報とに分けて出力し、主信号をＯ／Ｅ変換部２５に入力し、光波長情報を光波長制御部２７に入力する。
【００３９】
Ｏ／Ｅ変換部２５は、光（Optical）信号を電気（Electrical）信号に変換する手段である。具体的には、Ｏ／Ｅ変換部２５は、分波部２４とフレーム処理部２２との間に接続され、分波部２４から入力された光信号を、電気信号に変換して出力し、フレーム処理部２２に入力する。
【００４０】
Ｅ／Ｏ変換部２６は、電気（Electrical）信号を光（Optical）信号に変換する手段である。具体的には、Ｅ／Ｏ変換部２６は、フレーム処理部２２とクライアント側の端末との間に接続され、フレーム処理部２２から入力された電気信号を、光信号に変換して出力し、クライアント側の端末に入力する。
【００４１】
光波長制御部２７は、伝送された光波長情報を利用して、後述する波長多重部３１に入力する光信号の光波長を制御する手段であり、特にこの発明に密接に関連するものとしては、図２に示すように、Ｏ／Ｅ変換部２７ａと、フレーム同期部２７ｂと、ＣＲＣチェック部２７ｃと、光波長情報部２７ｄと、フレームヘッダ追加部２７ｅと、ＣＲＣ演算部２７ｆとを備える。
【００４２】
かかる光波長制御部２７のなかで、Ｏ／Ｅ変換部２７ａは、光（Optical）信号を電気（Electrical）信号に変換する手段である。具体的には、Ｏ／Ｅ変換部２７ａは、分波部２４とフレーム同期部２７ｂとの間に接続され、分波部２４から入力された光信号を、電気信号に変換して出力し、フレーム同期部２７ｂに入力する。ここで、実施例１において分波部２４から入力される光信号は、光波長情報を伝送するものであるので、Ｏ／Ｅ変換部２７ａは、光波長情報の光信号を電気信号に変換して出力し、フレーム同期部２７ｂに入力する。
【００４３】
フレーム同期部２７ｂは、フレーム構成を組まれたデータのフレームヘッダにより、フレーム同期を行う手段である。具体的には、フレーム同期部２７ｂは、Ｏ／Ｅ変換部２７ａとＣＲＣチェック部２７ｃとの間に接続され、Ｏ／Ｅ変換部２７ａから入力された電気信号であって、フレーム構成を組まれたデータのフレームヘッダにより、フレーム同期を行って出力し、ＣＲＣチェック部２７ｃに入力する。ここで、実施例１においてＯ／Ｅ変換部２７ａから入力される電気信号は、光波長情報を伝送するものであるので、フレーム同期部２７ｂは、光波長情報の電気信号であって、フレーム構成を組まれたデータのフレームヘッダにより、フレーム同期を行って光波長情報の電気信号を出力し、ＣＲＣチェック部２７ｃに入力する。
【００４４】
ＣＲＣチェック部２７ｃは、ＣＲＣ（Cyclic Redundancy Check）チェックを行い、データの誤りを検出する手段である。具体的には、ＣＲＣチェック部２７ｃは、フレーム同期部２７ｂと光波長情報部２７ｄとの間に接続され、フレーム同期部２７ｂから入力されたデータのＣＲＣチェックを行って出力し、光波長情報部２７ｄに入力する。なお、ＣＲＣチェック部２７ｃにおけるＣＲＣチェックに誤りが発生した場合には、ＣＲＣチェック部２７ｃは、データを破棄する。ここで、実施例１においてフレーム同期部２７ｂから入力されるデータは光波長情報のデータであるので、ＣＲＣチェック部２７ｃは、光波長情報のＣＲＣチェックを行って出力し、光波長情報部２７ｄに入力する。
【００４５】
光波長情報部２７ｄは、光波長情報をデータから抽出する手段である。具体的には、光波長情報部２７ｄは、ＣＲＣチェック部２７ｃとＣＲＣ演算部２７ｆとの間に接続され、ＣＲＣチェック部２７ｃから入力されたデータから光波長情報を抽出して出力し、ＣＲＣ演算部２７ｆに入力する。
【００４６】
フレームヘッダ追加部２７ｅは、フレームヘッダを生成してデータに追加する手段である。具体的には、フレームヘッダ追加部２７ｅは、ＣＲＣ演算部２７ｆに接続され、光波長情報部２７ｄによって抽出された光波長情報のフレームヘッダを生成し、光波長情報に追加して出力し、ＣＲＣ演算部２７ｆに入力する。
【００４７】
ＣＲＣ演算部２７ｆは、ＣＲＣチェック用のバイトを付加する手段である。具体的には、ＣＲＣ演算部２７ｆは、光波長情報部２７ｄおよびフレームヘッダ追加部２７ｅと、Ｅ／Ｏ変換部２３との間に接続され、光波長情報部２７ｄおよびフレームヘッダ追加部２７ｅから入力された光波長情報に、ＣＲＣチェック用のバイトを付加して出力し、Ｅ／Ｏ変換部２３に入力する。
【００４８】
ここで、上記したように、Ｏ／Ｅ変換部２７ａと、フレーム同期部２７ｂと、ＣＲＣチェック部２７ｃと、光波長情報部２７ｄと、フレームヘッダ追加部２７ｅと、ＣＲＣ演算部２７ｆとを備える光波長制御部２７は、波長多重光伝送装置３０から伝送された光波長情報の光信号を、Ｏ／Ｅ変換部２７ａにおいて電気信号に変換し、フレーム同期部２７ｂおよびＣＲＣチェック部２７ｃにおいてフレーム同期や誤り検出などを行い、光波長情報部２７ｄにおいて電気信号から光波長情報を抽出し、フレームヘッダ追加部２７ｅにおいて光波長情報にフレームヘッダを追加し、ＣＲＣ演算部２７ｆにおいて光波長情報にＣＲＣチェック用のバイトを付加し、トランスポンダ２０におけるＥ／Ｏ変換部２３に入力することで、抽出した光波長情報に対応する光波長の光信号が波長多重部に入力されるように、光信号の光波長を制御する。
【００４９】
［波長多重光伝送装置３０の構成］
波長多重光伝送装置３０は、トランスポンダ２０から入力された光信号の波長を多重したり、多重された光信号の波長を分離する手段であり、特にこの発明に密接に関連するものとしては、図２に示すように、波長多重部３１と、増幅部３２と、増幅部３３と、波長分離部３４と、光波長情報保持部３５と、光波長情報伝送部３６と、合波部３７と、光信号検出部３８とを備える。なお、光波長情報保持部３５は、特許請求の範囲に記載の「光波長情報保持手段」に対応し、光波長情報伝送部３６は、特許請求の範囲に記載の「光波長情報伝送手段」に対応する。
【００５０】
かかる波長多重光伝送装置３０のなかで、波長多重部３１は、トランスポンダ２０から入力された光信号の波長を多重する手段である。具体的には、波長多重部３１は、光信号検出部３８と増幅部３２との間に接続され、光信号検出部３８を介してトランスポンダ２０から入力された光信号の波長を多重して出力し、増幅部３２に入力する。
【００５１】
増幅部３２は、光信号の光レベルを伝送に必要な光レベルまで増幅する手段である。具体的には、増幅部３２は、波長多重部３１とネットワークとの間に接続され、波長多重部３１から入力された光信号の光レベルを、伝送に必要な光レベルまで増幅して出力し、ネットワークに伝送する。
【００５２】
増幅部３３は、伝送により劣化した光信号の光レベルを増幅する手段である。具体的には、増幅部３３は、ネットワークと波長分離部３４との間に接続され、ネットワークから伝送されて劣化した光信号の光レベルを増幅して出力し、波長分離部３４に入力する。
【００５３】
波長分離部３４は、多重された光信号の波長を分離してトランスポンダ２０に入力する手段である。具体的には、波長分離部３４は、増幅部３３と合波部３７との間に接続され、増幅部３３から入力された光信号の波長を分離して出力し、合波部３７を介してトランスポンダ２０に入力する。
【００５４】
光波長情報保持部３５は、トランスポンダ２０に出力させる光信号の光波長情報を保持する手段である。具体的には、光波長情報保持部３５は、光波長情報伝送部３６に接続され、保持する光波長情報を出力し、光波長情報伝送部３６に入力する。例えば、光波長情報保持部３５は、図３に示すように、光波長情報と、波長多重光伝送システム１０内で用いる光波長情報のコードとを対応づけて保持する。すなわち、光波長情報保持部３５は、光波長情報「λ１」を、「０１（ｈ）」というコードと対応づけて保持し、光波長情報「λ２」を、「０２（ｈ）」というコードと対応づけて保持し、その他の光波長情報についても同様に、コードに対応づけて保持する。
【００５５】
光波長情報伝送部３６は、光波長情報保持部３５によって保持された光波長情報を、トランスポンダ２０および波長分離部３４を接続する接続ケーブルを用いてトランスポンダ２０に伝送する手段であり、特にこの発明に密接に関連するものとしては、図２に示すように、フレームヘッダ追加部３６ａと、ＣＲＣ演算部３６ｂと、Ｅ／Ｏ変換部３６ｃと、制御部３６ｄとを備える。
【００５６】
かかる光波長情報伝送部３６のなかで、フレームヘッダ追加部３６ａは、フレームヘッダを生成してデータに追加する手段である。具体的には、フレームヘッダ追加部３６ａは、ＣＲＣ演算部３６ｂに接続され、光波長情報保持部３５によって保持された光波長情報のフレームヘッダを生成し、光波長情報に追加して出力し、ＣＲＣ演算部３６ｂに入力する。
【００５７】
ＣＲＣ演算部３６ｂは、ＣＲＣチェック用のバイトを付加する手段である。具体的には、ＣＲＣ演算部３６ｂは、光波長情報保持部３５およびフレームヘッダ追加部３６ａと、Ｅ／Ｏ変換部３６ｃとの間に接続され、光波長情報保持部３５およびフレームヘッダ追加部３６ａから入力された光波長情報に、ＣＲＣチェック用のバイトを付加して出力し、Ｅ／Ｏ変換部３６ｃに入力する。
【００５８】
Ｅ／Ｏ変換部３６ｃは、電気（Electrical）信号を光（Optical）信号に変換する手段である。具体的には、Ｅ／Ｏ変換部３６ｃは、ＣＲＣ演算部３６ｂと合波部３７との間に接続され、ＣＲＣ演算部３６ｂから入力された電気信号を、光信号に変換して出力し、合波部３７を介してトランスポンダ２０に入力する。ここで、実施例１においてＣＲＣ演算部３６ｂから入力される電気信号は、光波長情報を伝送するものであるので、Ｅ／Ｏ変換部３６ｃは、光波長情報の電気信号を光信号に変換して出力し、合波部３７を介してトランスポンダ２０に入力する。
【００５９】
制御部３６ｄは、フレームヘッダ追加部３６ａとＣＲＣ演算部３６ｂとＥ／Ｏ変換部３６ｃとを制御する手段である。
【００６０】
ここで、上記したように、フレームヘッダ追加部３６ａと、ＣＲＣ演算部３６ｂと、Ｅ／Ｏ変換部３６ｃと、制御部３６ｄとを備える光波長情報伝送部３６は、光波長情報保持部３５によって保持された光波長情報を、フレームヘッダ追加部３６ａにおいてフレームヘッダを追加し、ＣＲＣ演算部３６ｂにおいて光波長情報にＣＲＣチェック用のバイトを付加し、Ｅ／Ｏ変換部３６ｃにおいて電気信号から光信号に変換することで、光波長情報を所定の光波長による光信号に変換してトランスポンダ２０に伝送する。
【００６１】
合波部３７は、異なる光波長の光信号を合波する手段である。具体的には、合波部３７は、波長分離部３４および光波長情報伝送部３６と、トランスポンダ２０との間に接続され、波長分離部３４から入力された光信号と、光波長情報伝送部３６から入力された光信号とを合波して出力し、トランスポンダ２０に入力する。ここで、実施例１において光波長情報伝送部３６から入力される光信号は、光波長情報を伝送するものであるので、合波部３７は、波長分離部３４から入力された主信号と、光波長情報伝送部３６から入力された光波長情報の光信号とを合波して出力し、トランスポンダ２０に出力する。
【００６２】
光信号検出部３８は、光パワーのモニタを行い、光信号の光レベルを検出する手段であり、特にこの発明に密接に関連するものとしては、図２に示すように、光信号検出部３８ａと、増幅回路部３８ｂと、Ａ／Ｄ変換部３８ｃとを備える。
【００６３】
かかる光信号検出部３８のなかで、光信号検出部３８ａは、光パワーのモニタを行い、光信号の光レベルを検出する手段である。具体的には、光信号検出部３８ａは、トランスポンダ２０と波長多重部３１との間に接続され、トランスポンダから入力された光信号の光パワーのモニタを行い、光信号の光レベルを検出する。また、光信号検出部３８ａは、増幅回路部３８ｂに接続され、検出した光信号の光レベルを増幅回路部３８ｂに入力する。
【００６４】
増幅回路部３８ｂは、光信号の光レベルを増幅する手段である。具体的には、増幅回路部３８ｂは、光信号検出部３８ａとＡ／Ｄ変換部３８ｃとの間に接続され、光信号検出部３８ａから入力された光信号の光レベルを増幅して出力し、Ａ／Ｄ変換部３８ｃに入力する。
【００６５】
Ａ／Ｄ変換部３８ｃは、アナログ（Analog）信号をディジタル（Digital）信号に変換する手段である。具体的には、Ａ／Ｄ変換部３８ｃは、増幅回路部３８ｂと光波長情報伝送部３６との間に接続され、増幅回路部３８ｂから入力された光信号の光レベルを、アナログ信号からディジタル信号に変換して出力し、光波長情報伝送部３６に入力する。
【００６６】
ここで、上記したように、光信号検出部３８ａと、増幅回路部３８ｂと、Ａ／Ｄ変換部３８ｃとを備える光信号検出部３８は、光信号検出部３８ａにおいてトランスポンダ２０から入力された光信号の光パワーのモニタを行い、光信号の光レベルを検出し、増幅回路部３８ｂにおいて増幅し、Ａ／Ｄ変換部３８ｃにおいてディジタル信号に変換し、光波長情報伝送部３６に入力することで、光波長情報伝送部３６の制御部３６ｄにおける制御を停止する。
【００６７】
［波長多重光伝送システム１０の全体構成］
次に、このような波長多重光伝送システム１０の全体構成について、図４を用いて説明する。図４に示すように、実施例１に係る波長多重光伝送システム１０は、複数のトランスポンダ（トランスポンダ２０−１〜トランスポンダ２０−ｎ）と、ひとつの波長多重光伝送装置３０とから構成される。
【００６８】
また、図４に示すように、波長多重光伝送装置３０における波長多重部の各ポートは、複数のトランスポンダ（トランスポンダ２０−１〜トランスポンダ２０−ｎ）とそれぞれ接続し、また、波長多重光伝送装置３０における波長分離部の各ポートは、複数のトランスポンダとそれぞれ接続している。
【００６９】
ここで、波長多重光伝送装置３０における波長多重部の各ポートは、それぞれ特定の光波長にのみ対応し、波長多重光伝送装置３０における波長分離部の各ポートは、それぞれ特定の光波長にのみ対応するので、特定の光波長を出力するトランスポンダ２０と、このトランスポンダ２０からの入力を受け付ける波長多重部のポートと、このトランスポンダ２０に入力する波長分離部のポートとは、セットとして考えることが可能である。このため、セットであるトランスポンダ２０と波長多重部の特定のポートとが接続ケーブルで接続され、セットであるトランスポンダ２０と波長分離部の特定のポートとが接続ケーブルで接続される。
【００７０】
［実施例１に係る波長多重光伝送システムによる処理の手順］
次に、図５を用いて、実施例１に係る波長多重光伝送システムによる処理の手順を説明する。図５は、実施例１に係る波長多重光伝送システムによる処理の手順を示すフローチャートである。なお、実施例１に係る波長多重光伝送システム１０は、トランスポンダ２０と波長多重光伝送装置３０とを運用している状態にある。以下では、波長多重光伝送システム１０が、日常の運用から、トランスポンダ２０に光波長を設定する運用に切替えられた際の処理の手順を示すものである。
【００７１】
まず、実施例１に係る波長多重光伝送システム１０は、トランスポンダ２０を起動（例えば、運用状態からリブートするなど）する（ステップＳ５０１）。すると、トランスポンダ２０は、Ｅ／Ｏ変換部２３をシャットダウンし、光信号の出力を停止する。
【００７２】
この時、波長多重光伝送システム１０は、波長多重光伝送装置３０の光信号検出部３８において、光信号の出力レベルが低下したことを検出したか否かを判断している（ステップＳ５０２）。光信号の出力レベルが低下したことを検出しない場合（通常の運用状態の場合）には（ステップＳ５０２否定）、波長多重光伝送システム１０は、波長多重光伝送装置３０の光信号検出部３８において、光信号の出力レベルが低下したことを検出したか否かを判断する処理に戻る。
【００７３】
一方、光信号の出力レベルが低下したことを検出した場合には（ステップＳ５０２肯定）、波長多重光伝送システム１０は、波長多重光伝送装置３０の光波長情報伝送部３６において、光波長情報伝送処理を実行する（ステップＳ５０３）。具体的には、波長多重光伝送システム１０は、波長多重光伝送装置３０の光波長情報伝送部３６において、光波長情報保持部３５によって保持された光波長情報を、接続ケーブルを用いてトランスポンダ２０に伝送する。
【００７４】
また、波長多重光伝送システム１０は、ステップＳ５０１の後、トランスポンダ２０の光波長制御部２７において、光信号を検出したか否かを判断している（ステップＳ５０４）。光信号を検出しない場合には（ステップＳ５０４否定）、波長多重光伝送システム１０は、トランスポンダ２０の光波長制御部２７において、光信号を検出したか否かを判断する処理に戻る。
【００７５】
一方、光信号を検出した場合には（ステップＳ５０４肯定）、波長多重光伝送システム１０は、トランスポンダ２０の光波長制御部２７において、光波長制御処理を実行する（ステップＳ５０５）。具体的には、波長多重光伝送システム１０は、トランスポンダ２０の光波長制御部２７において、光波長情報伝送部３６によって伝送された光波長情報を利用して、波長多重部３１に入力する光信号の光波長を制御する。
【００７６】
そして、波長多重光伝送システム１０は、トランスポンダ２０のＥ／Ｏ変換部２３において、所定の光波長による光信号を出力する（ステップＳ５０６）。
【００７７】
また、波長多重光伝送システム１０は、ステップＳ５０３の後、波長多重光伝送装置３０の光信号検出部３８において、光信号の出力レベルが規定値に達したことを検出したか否かを判断している（ステップＳ５０７）。光信号の出力レベルが規定値に達したことを検出しない場合には（ステップＳ５０７否定）、波長多重光伝送システム１０は、波長多重光伝送装置３０の光信号検出部３８において、光信号の出力レベルが規定値に達したことを検出したか否かを判断する処理に戻る。
【００７８】
一方、光信号の出力レベルが規定値に達したことを検出した場合には（ステップＳ５０７肯定）、波長多重光伝送システム１０は、波長多重光伝送装置３０の光波長情報伝送部３６において、光波長情報伝送処理を停止する（ステップＳ５０８）。
【００７９】
このようにして、実施例１に係る波長多重光伝送システム１０は、装置の動作不良の場合などにも、トランスポンダに対して問題なく特定の光波長を設定できることから、光波長を安定して設定することが可能になる。また、光波長情報自体を伝送する手法であることから、光波長情報に対応づけられた回数の光パルスを発光する手法などに比較して、光波長を精度よく設定することが可能になる。
【００８０】
［実施例１における光波長情報伝送処理の手順］
次に、図５のステップＳ５０３において実行される光波長伝送処理の手順について、図６を用いて説明する。図６は、実施例１における光波長情報伝送処理の手順を示すフローチャートである。
【００８１】
実施例１における波長多重光伝送装置３０は、光波長情報伝送部３６のフレームヘッダ追加部３６ａにおいて、光波長情報にフレームヘッダを追加する（ステップＳ６０１）。具体的には、波長多重光伝送装置３０は、光波長情報伝送部３６のフレームヘッダ追加部３６ａにおいて、光波長情報保持部３５によって保持された光波長情報のフレームヘッダを生成し、光波長情報に追加して出力し、ＣＲＣ演算部３６ｂに入力する。
【００８２】
次に、波長多重光伝送装置３０は、光波長情報伝送部３６のＣＲＣ演算部３６ｂにおいて、光波長情報にＣＲＣチェック用のバイトを付加する（ステップＳ６０２）。具体的には、波長多重光伝送装置３０は、光波長情報伝送部３６のＣＲＣ演算部３６ｂにおいて、光波長情報保持部３５およびフレームヘッダ追加部３６ａから入力された光波長情報に、ＣＲＣチェック用のバイトを付加して出力し、Ｅ／Ｏ変換部３６ｃに入力する。
【００８３】
そして、波長多重光伝送装置３０は、光波長情報伝送部３６のＥ／Ｏ変換部３６ｃにおいて、光波長情報を電気信号から光信号に変換し、トランスポンダに伝送する（ステップＳ６０３）。具体的には、波長多重光伝送装置３０は、光波長情報伝送部３６のＥ／Ｏ変換部３６ｃにおいて、ＣＲＣ演算部３６ｂから入力される光波長情報を、電気信号から光信号に変換して出力し、合波部３７を介してトランスポンダに伝送する。
【００８４】
［実施例１における光波長制御処理の手順］
次に、図５のステップＳ５０５において実行される光波長制御処理の手順について、図７を用いて説明する。図７は、実施例１における光波長制御処理の手順を示すフローチャートである。
【００８５】
実施例１におけるトランスポンダ２０は、光波長制御部２７のＯ／Ｅ変換部２７ａにおいて、伝送された光波長情報を光信号から電気信号に変換する（ステップＳ７０１）。具体的には、トランスポンダ２０は、光波長制御部２７のＯ／Ｅ変換部２７ａにおいて、分波部２４から入力される光波長情報を、光信号から電気信号に変換して出力し、フレーム同期部２７ｂに入力する。
【００８６】
次に、トランスポンダ２０は、光波長制御部２７のフレーム同期部２７ｂにおいて、データのフレームヘッダによりフレーム同期を実行する（ステップＳ７０２）。具体的には、トランスポンダ２０は、光波長制御部２７のフレーム同期部２７ｂにおいて、Ｏ／Ｅ変換部２７ａから入力される光波長情報であって、フレーム構成を組まれたデータのフレームヘッダにより、フレーム同期を行って、光波長情報の電気信号を出力し、ＣＲＣチェック部２７ｃに入力する。
【００８７】
そして、トランスポンダ２０は、光波長制御部２７のＣＲＣチェック部２７ｃにおいて、ＣＲＣチェックを実行する（ステップＳ７０３）。具体的には、トランスポンダ２０は、光波長制御部２７のＣＲＣチェック部２７ｃにおいて、フレーム同期部２７ｂから入力される光波長情報のＣＲＣチェックを行って出力し、光波長情報部２７ｄに入力する。
【００８８】
続いて、トランスポンダ２０は、光波長制御部２７のＣＲＣチェック部２７ｃにおいて、データの誤りを検出したか否かを判断する（ステップＳ７０４）。データの誤りを検出した場合には（ステップＳ７０４肯定）、トランスポンダ２０は、光波長制御部２７のＣＲＣチェック部２７ｃにおいて、光波長情報を破棄し、光波長制御処理を終了する（ステップＳ７０８）。
【００８９】
一方、データの誤りを検出していない場合には（ステップＳ７０４否定）、トランスポンダ２０は、光波長制御部２７の光波長情報部２７ｄにおいて、光波長情報を抽出する（ステップＳ７０５）。具体的には、トランスポンダ２０は、光波長制御部２７の光波長情報部２７ｄにおいて、ＣＲＣチェック部２７ｃから入力されたデータから光波長情報を抽出して出力し、ＣＲＣ演算部２７ｆに入力する。
【００９０】
次に、トランスポンダ２０は、光波長制御部２７のフレームヘッダ追加部２７ｅにおいて、光波長情報にフレームヘッダを追加する（ステップＳ７０６）。具体的には、トランスポンダ２０は、光波長制御部２７のフレームヘッダ追加部２７ｅにおいて、光波長情報部２７ｄによって抽出された光波長情報のフレームヘッダを生成し、光波長情報に追加して出力し、ＣＲＣ演算部２７ｆに入力する。
【００９１】
そして、トランスポンダ２０は、光波長制御部２７のＣＲＣ演算部２７ｆにおいて、光波長情報にＣＲＣチェック用のバイトを付加し、トランスポンダ２０のＥ／Ｏ変換部２３に入力する（ステップＳ７０７）。具体的には、トランスポンダ２０は、光波長制御部２７のＣＲＣ演算部２７ｆにおいて、光波長情報部２７ｄおよびフレームヘッダ追加部２７ｅから入力された光波長情報に、ＣＲＣチェック用のバイトを付加して出力し、Ｅ／Ｏ変換部２３に入力する。
【００９２】
なお、上記したように、実施例１においては、波長多重光伝送システムによる処理の手順として、波長多重光伝送装置３０の光信号検出部３８において、光信号の出力レベルが低下したことを検出して、光波長情報伝送部３６における光波長情報伝送処理を開始する手順や、波長多重光伝送装置３０の光信号検出部３８において、光信号の出力レベルが規定値に達したことを検出して、光波長情報伝送部３６における光波長情報伝送処理を終了する手順などを説明したが、この発明はこれに限られるものではなく、光波長情報伝送部３６における光波長情報伝送処理が随時１回実行されて終了する手順など、光波長情報伝送部３６における光波長情報伝送処理とトランスポンダ２０の光波長制御部２７における光波長制御処理とが行われる手順であれば、その他の処理の有無や、処理の順番は、いずれでもよい。
【００９３】
また、実施例１においては、光波長情報伝送処理の手順として、図６に示す手順を説明したが、この発明はこれに限られるものではなく、光波長情報を電気信号から光信号に変換してトランスポンダに伝送する処理を含む手順であれば、その他の処理の有無や、処理の順番は、いずれでもよい。また、実施例１においては、光波長制御処理の手順として、図７に示す手順を説明したが、この発明はこれに限られるものではなく、伝送された光波長情報をＥ／Ｏ変換部に入力する処理を含む手順であれば、その他の処理の有無や、処理の順番は、いずれでもよい。
【００９４】
［実施例１の効果］
上記したように、実施例１によれば、所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムであって、波長多重光伝送装置は、トランスポンダに出力させる光信号の光波長情報を保持し、保持された光波長情報を、接続ケーブルを用いてトランスポンダに伝送し、トランスポンダは、伝送された光波長情報を利用して、波長多重部に入力する光信号の光波長を制御するので、装置の動作不良の場合などにも、トランスポンダに対して問題なく特定の光波長を設定できることから、光波長を安定して設定することが可能になる。また、人為的な確認や設定によってトランスポンダに対する光波長の設定が行われる手法に比較して、人為的な作業の負担や操作ミスの可能性を少なくすることが可能になる。さらに、光波長制御が正常に実行された場合には、光信号検出部において光信号の出力レベルが規定値に達したことを検出することから、光波長制御が正常に実行されたことを確認することが可能になる。
【００９５】
また、実施例１によれば、波長多重光伝送装置は、光波長情報を所定の光波長による光信号に変換してトランスポンダに伝送し、トランスポンダは、伝送された光信号から光波長情報を抽出し、抽出した光波長情報に対応する光波長の光信号が波長多重部に入力されるように光信号の光波長を制御するので、装置の動作不良の場合などにも、トランスポンダに対して問題なく特定の光波長を設定できることから、光波長を安定して設定することが可能になる。また、光波長情報自体を伝送する手法であることから、光波長情報に対応づけられた回数の光パルスを発光する手法などに比較して、光波長を精度よく設定することが可能になる。
【実施例２】
【００９６】
さて、これまで、実施例１に係る波長多重光伝送システムとして、光波長情報を所定の光波長による光信号に変換して伝送する手法を説明したが、この発明はこれに限定されるものではなく、光波長情報に対応づけられた回数の光パルスを発光して光波長情報を伝送する手法にも、この発明を同様に適用することができる。そこで、以下では、実施例２に係る波長多重光伝送システムとして、光波長情報に対応づけられた回数の光パルスを発光して光波長情報を伝送する手法を説明する。
【００９７】
［実施例２に係る波長多重光伝送システムの概要および特徴］
まず、実施例２に係る波長多重光伝送システムの概要および特徴を説明する。実施例２に係る波長多重光伝送システムは、実施例１と同様、所定の光波長による光信号を出力するトランスポンダと、このトランスポンダから入力された光信号の波長を多重する波長多重部および多重された光信号の波長を分離してこのトランスポンダに入力する波長分離部を含んで構成される波長多重光伝送装置と、このトランスポンダおよびこの波長分離部を接続する接続ケーブルとを含んで構成されることを概要とし、光波長を安定して設定することを主たる特徴とする。
【００９８】
この主たる特徴について簡単に説明すると、実施例２に係る波長多重光伝送システムにおいて、波長多重光伝送装置の光波長情報保持部は、実施例１と同様、トランスポンダに出力させる光信号の光波長情報を保持する。
【００９９】
波長多重光伝送システムにおいて、波長多重光伝送装置の光波長情報伝送部は、実施例１と同様、光波長情報保持部に保持された光波長情報を、接続ケーブルを用いてトランスポンダに伝送する。具体的には、実施例２における光波長情報伝送部は、実施例１と異なり、光波長情報を、光波長情報に対応づけられた回数の光パルスを発光することで、伝送する。
【０１００】
すると、波長多重光伝送システムにおいて、トランスポンダの光波長制御部は、実施例１と同様、光波長情報伝送部によって伝送された光波長情報を利用して、波長多重部に入力する光信号の光波長を制御する。具体的には、実施例２における光波長制御部は、実施例１と異なり、光波長情報伝送部によって伝送された光信号から光パルスを受光した回数を取得し、回数に対応づけられた光波長情報に対応する光波長の光信号が波長多重部に入力されるように、光信号の光波長を制御する。
【０１０１】
このようにして、実施例２に係る波長多重光伝送システムは、装置の動作不良の場合などにも、トランスポンダに対して問題なく特定の光波長を設定できることから、光波長を安定して設定することが可能になる。また、光波長情報に対応づけられた回数の光パルスを発光する手法であることから、光波長情報を伝送する手法などに比較して、光波長をより単純に設定することが可能になる。
【０１０２】
［実施例２に係る波長多重光伝送システムの構成］
次に、図８および図９を用いて、実施例２に係る波長多重光伝送システムの構成を説明する。図８は、実施例２に係る波長多重光伝送システムの構成を示すブロック図であり、図９は、変換テーブル部を説明するための図である。
【０１０３】
図８に示すように、実施例２に係る波長多重光伝送システム４０は、トランスポンダ５０と、波長多重光伝送装置６０と、トランスポンダ５０および波長多重光伝送装置６０を接続する接続ケーブルとから構成される。以下では、トランスポンダ５０および波長多重光伝送装置６０について構成を説明する。なお、実施例１に係る波長多重光伝送システム１０と同様に構成される部については、説明を省略する。
【０１０４】
［トランスポンダ５０の構成］
トランスポンダ５０は、所定の光波長による光信号を出力する手段であり、特にこの発明に密接に関連するものとしては、図８に示すように、Ｏ／Ｅ変換部５１と、フレーム処理部５２と、Ｅ／Ｏ変換部５３と、スイッチ部５４と、Ｏ／Ｅ変換部５５と、Ｅ／Ｏ変換部５６と、光波長制御部５７とを備える。なお、光波長制御部５７は、特許請求の範囲に記載の「光波長制御手段」に対応する。
【０１０５】
かかるトランスポンダ５０のなかで、Ｏ／Ｅ変換部５１と、フレーム処理部５２と、Ｅ／Ｏ変換部５３と、Ｏ／Ｅ変換部５５と、Ｅ／Ｏ変換部５６とは、実施例１に係る波長多重光伝送システム１０におけるＯ／Ｅ変換部２１と、フレーム処理部２２と、Ｅ／Ｏ変換部２３と、Ｏ／Ｅ変換部２５と、Ｅ／Ｏ変換部２６とにそれぞれ対応し、実施例１と同様に構成されるので、説明を省略し、スイッチ部５４と、光波長制御部５７とについて説明する。
【０１０６】
スイッチ部５４は、接続ケーブルを介して伝送された光信号の転送先を切替える手段である。具体的には、スイッチ部５４は、トランスポンダ５０および波長多重光伝送装置６０を接続する接続ケーブルを収容し、接続ケーブルを介して伝送された光信号をＯ／Ｅ変換部５５に転送する場合には、スイッチをＯ／Ｅ変換部５５側に切り替え、光波長制御部５７に転送する場合には、スイッチを光波長制御部５７側に切り替える。実施例２に係る波長多重光伝送システム４０においては、スイッチ部５４は、トランスポンダ５０が起動された後に、スイッチを光波長制御部５７側に切り替え、トランスポンダ５０のＥ／Ｏ変換部５３において所定の光波長による光信号が出力された後に、スイッチをＯ／Ｅ変換部５５側に切り替える。
【０１０７】
また、スイッチ部５４は、波長多重光伝送装置６０と、Ｏ／Ｅ変換部５５および光波長制御部５７との間に接続され、波長多重光伝送装置６０から入力された光信号を、Ｏ／Ｅ変換部５５または光波長制御部５７に入力する。ここで、実施例２において波長多重光伝送装置６０から入力される光信号は、主信号と、光波長情報に対応づけられた回数の光パルスの発光とであるので、スイッチ部５４は、波長多重光伝送装置６０から入力された主信号を、スイッチをＯ／Ｅ変換部５５側に切り替えてＯ／Ｅ変換部５５に入力し、波長多重光伝送装置６０から入力された光パルスの発光を、スイッチを光波長制御部５７側に切り替えて光波長制御部５７に入力する。
【０１０８】
光波長制御部５７は、伝送された光波長情報を利用して、後述する波長多重部６１に入力する光信号の光波長を制御する手段であり、特にこの発明に密接に関連するものとしては、図８に示すように、光信号検出部５７ａと、カウント部５７ｂと、変換テーブル部５７ｃと、光波長情報部５７ｄと、フレームヘッダ追加部５７ｅと、ＣＲＣ演算部５７ｆとを備える。
【０１０９】
かかる光波長制御部５７のなかで、光波長情報部５７ｄと、フレームヘッダ追加部５７ｅと、ＣＲＣ演算部５７ｆとは、実施例１に係る波長多重光伝送システム１０における光波長情報部２７ｄと、フレームヘッダ追加部２７ｅと、ＣＲＣ演算部２７ｆとにそれぞれ対応し、実施例１と同様に構成されるので、説明を省略し、光信号検出部５７ａと、カウント部５７ｂと、変換テーブル部５７ｃとについて説明する。
【０１１０】
光信号検出部５７ａは、光信号を検出する手段である。具体的には、光信号検出部５７ａは、スイッチ部５４とカウント部５７ｂとの間に接続され、スイッチ部５４から入力された光信号を検出し、電気変換してカウント部５７ｂに入力する。ここで、実施例２において波長多重光伝送装置６０から入力される光信号は、光波長情報に対応づけられた回数の光パルスの発光であるので、光信号検出部５７ａは、光波長情報に対応づけられた回数の光パルスの発光を検出し、電気変換してカウント部５７ｂに入力する。なお、仮に、波長多重光伝送装置６０から入力される光パルスの発光が、Ｏ／Ｅ変換部５５に入力された場合であるが、Ｏ／Ｅ変換部５５は、フレーム構成を持たない光パルスでは同期を取ることができないため、光信号を正常に受信しない。
【０１１１】
カウント部５７ｂは、光パルスを受光した回数を取得する手段である。具体的には、カウント部５７ｂは、光信号検出部５７ａと変換テーブル部５７ｃとの間に接続され、光信号検出部５７ａから入力された電気信号から、光パルスを受光した回数をカウントし、カウントした結果を、変換テーブル部５７ｃに入力する。
【０１１２】
変換テーブル部５７ｃは、光波長情報と光パルスを受光した回数とを対応づけて記憶する手段である。具体的には、変換テーブル部５７ｃは、カウント部５７ｂと光波長情報部５７ｄとの間に接続され、カウント部５７ｂから入力された光パルスを受光した回数に対応づけて記憶した光波長情報を検索し、検索した光波長情報を光波長情報部５７ｄに入力する。例えば、変換テーブル部５７ｃは、図９に示すように、光波長情報と、光パルスを受光した回数とを対応づけて記憶する。すなわち、変換テーブル部５７ｃは、光波長情報「λ１」を、「１pulse/sec」、すなわち、１秒間に光パルスを受光した回数が１回であるとの情報と対応づけて記憶し、光波長情報「λ２」を、「２pulse/sec」、すなわち、１秒間に光パルスを受光した回数が２回であるとの情報と対応づけて記憶し、その他の光波長情報についても同様に、光パルスを受光した回数と対応づけて記憶する。
【０１１３】
［波長多重伝送装置６０の構成］
波長多重光伝送装置６０は、トランスポンダ５０から入力された光信号の波長を多重したり、多重された光信号の波長を分離する手段であり、特にこの発明に密接に関連するものとしては、図８に示すように、波長多重部６１と、増幅部６２と、増幅部６３と、波長分離部６４と、光波長情報保持部６５と、光波長情報伝送部６６と、スイッチ部６７と、光信号検出部６８とを備える。なお、光波長情報保持部６５は、特許請求の範囲に記載の「光波長情報保持手段」に対応し、光波長情報伝送部６６は、特許請求の範囲に記載の「光波長情報伝送手段」に対応する。
【０１１４】
かかる波長多重光伝送装置６０のなかで、波長多重部６１と、増幅部６２と、増幅部６３と、波長分離部６４と、光波長情報保持部６５と、光信号検出部６８とは、実施例１に係る波長多重光伝送システム１０における波長多重部３１と、増幅部３２と、増幅部３３と、波長分離部３４と、光波長情報保持部３５と、光信号検出部３８とにそれぞれ対応し、実施例１と同様に構成されるので、説明を省略し、光波長情報伝送部６６と、スイッチ部６７とについて説明する。
【０１１５】
光波長情報伝送部６６は、光波長情報保持部６５によって保持された光波長情報を、トランスポンダ５０および波長分離部６４を接続する接続ケーブルを用いてトランスポンダ５０に伝送する手段であり、特にこの発明に密接に関連するものとしては、図８に示すように、変換テーブル部６６ａと、発振部６６ｂと、光パルス発光部６６ｃとを備える。
【０１１６】
かかる光波長情報伝送部６６のなかで、変換テーブル部６６ａは、光波長情報と光パルスを発光する回数とを対応づけて記憶する手段である。具体的には、変換テーブル部６６ａは、光波長情報保持部６５と光パルス発光部６６ｃとの間に接続され、光波長情報保持部６５から入力された光波長情報に対応づけて記憶した光パルスを発光する回数を検索し、検索した光パルスを発光する回数を出力し、出力した回数を光パルス発光部６６ｃに入力する。
【０１１７】
発振部６６ｂは、時間を測定する基準となる手段である。具体的には、発振部６６ｂは、光パルス発光部６６ｃに接続され、時間を測定する基準を出力し、光パルス発光部６６ｃに入力する。光パルス発光部６６ｃは、光パルスを発光する手段である。具体的には、光パルス発光部６６ｃは、スイッチ部６７と、変換テーブル部６６ａおよび発振部６６ｂとの間に接続され、発振部６６ｂが出力する時間を測定する基準に従って、変換テーブル部６６ａから入力された回数で光パルスを発光し、スイッチ部６７を介して、トランスポンダ５０に伝送する。
【０１１８】
スイッチ部６７は、接続ケーブルを介して伝送する光信号の伝送元を切り替える手段である。具体的には、スイッチ部６７は、トランスポンダ５０および波長多重光伝送装置６０を接続する接続ケーブルを収容し、接続ケーブルを介して伝送する光信号を、波長分離部６４から伝送する場合には、スイッチを波長分離部６４側に切り替え、光波長情報伝送部６６から伝送する場合には、スイッチを光波長情報伝送部６６側に切り替える。実施例２に係る波長多重光伝送システム４０においては、スイッチ部６７は、波長多重光伝送装置６０の光信号検出部６８において、光信号の出力レベルが低下したことを検出した後に、スイッチを光波長情報伝送部６６側に切り替え、波長多重光伝送装置６０の光信号検出部６８において、光信号の出力レベルが規定値に達したことを検出した後に、スイッチを波長分離部６４側に切り替える。
【０１１９】
また、スイッチ部６７は、トランスポンダ５０と、波長分離部６４および光波長情報伝送部６６との間に接続され、波長分離部６４または光波長情報伝送部６６から入力された光信号を、トランスポンダ５０に伝送する。ここで、実施例２において波長分離部６４から入力される光信号は、主信号であり、実施例２において光波長情報伝送部６６から入力される光信号は、光波長情報に対応づけられた回数の光パルスの発光であるので、スイッチ部６７は、スイッチを波長分離部６４側に切り替えて、主信号をトランスポンダ５０に伝送し、スイッチを光波長情報伝送部６６側に切り替えて、光パルスの発光をトランスポンダ５０に伝送する。
【０１２０】
［実施例２に係る波長多重光伝送システムの処理の手順］
次に、図１０を用いて、実施例２に係る波長多重光伝送システムによる処理の手順を説明する。図１０は、実施例２に係る波長多重光伝送システムによる処理の手順を示すフローチャートである。なお、実施例２に係る波長多重光伝送システム４０は、トランスポンダ５０と波長多重光伝送装置６０とを運用している状態にある。以下では、波長多重光伝送システム４０が、日常の運用から、トランスポンダ５０に光波長を設定する運用に切り替えられた際の処理の手順を示すものである。
【０１２１】
まず、実施例２に係る波長多重光伝送システム４０は、トランスポンダ５０を起動（例えば、運用状態からリブートするなど）する（ステップＳ１００１）。すると、トランスポンダ５０は、Ｅ／Ｏ変換部５３をシャットダウンし、光信号の出力を停止する。そして、波長多重光伝送システム４０は、トランスポンダ５０のスイッチ部５４において、スイッチを光波長制御部５７側に切り替える（ステップＳ１００２）。
【０１２２】
この時、波長多重光伝送システム４０は、波長多重光伝送装置６０の光信号検出部６８において、光信号の出力レベルが低下したことを検出したか否かを判断している（ステップＳ１００３）。光信号の出力レベルが低下したことを検出しない場合（通常の運用状態の場合）には（ステップＳ１００３否定）、波長多重光伝送システム４０は、波長多重光伝送装置６０の光信号検出部６８において、光信号の出力レベルが低下したことを検出したか否かを判断する処理に戻る。
【０１２３】
一方、光信号の出力レベルが低下したことを検出した場合には（ステップＳ１００３肯定）、波長多重光伝送システム４０は、波長多重光伝送装置６０のスイッチ部６７において、スイッチを光波長情報伝送部６６側に切り替える（ステップＳ１００４）。
【０１２４】
そして、波長多重光伝送システム４０は、波長多重光伝送装置６０の光波長情報伝送部６６において、光波長情報伝送処理を実行する（ステップＳ１００５）。具体的には、波長多重光伝送システム４０は、波長多重光伝送装置６０の光波長情報伝送部６６において、光波長情報保持部６５によって保持された光波長情報を、接続ケーブルを用いてトランスポンダ５０に伝送する。
【０１２５】
また、波長多重光伝送システム４０は、ステップＳ１００２の後、トランスポンダ５０の光波長制御部５７において、光信号を検出したか否かを判断している（ステップＳ１００６）。光信号を検出しない場合には（ステップＳ１００６否定）、波長多重光伝送システム４０は、トランスポンダ５０の光波長制御部５７において、光信号を検出したか否かを判断する処理に戻る。
【０１２６】
一方、光信号を検出した場合には（ステップＳ１００６肯定）、波長多重光伝送システム４０は、トランスポンダ５０の光波長制御部５７において、光波長制御処理を実行する（ステップＳ１００７）。具体的には、波長多重光伝送システム４０は、トランスポンダ５０の光波長制御部５７において、光波長伝送部６６によって伝送された光波長情報を利用して、波長多重部６１に入力する光信号の光波長を制御する。
【０１２７】
そして、波長多重光伝送システム４０は、トランスポンダ５０のＥ／Ｏ変換部５３において、所定の光波長による光信号を出力する（ステップＳ１００８）。
【０１２８】
また、波長多重光伝送システム４０は、ステップＳ１００５の後、波長多重光伝送装置６０の光信号検出部６８において、光信号の出力レベルが規定値に達したことを検出したか否かを判断している（ステップＳ１０１０）。光信号の出力レベルが規定値に達したことを検出しない場合には（ステップＳ１０１０否定）、波長多重光伝送システム４０は、波長多重光伝送装置６０の光信号検出部６８において、光信号の出力レベルが規定値に達したことを検出したか否かを判断する処理に戻る。
【０１２９】
一方、光信号の出力レベルが規定値に達したことを検出した場合には（ステップＳ１０１０肯定）、波長多重光伝送システム４０は、波長多重光伝送装置６０のスイッチ部６７において、スイッチを波長分離部６４側に切り替える（ステップＳ１０１１）。
【０１３０】
このようにして、実施例２に係る波長多重光伝送システム４０は、装置の動作不良の場合などにも、トランスポンダに対して問題なく特定の光波長を設定できることから、光波長を安定して設定することが可能になる。また、光波長情報に対応づけられた回数の光パルスを発光する手法であることから、光波長情報を伝送する手法などに比較して、光波長をより単純に設定することが可能になる。
【０１３１】
［実施例２における光波長情報伝送処理の手順］
次に、図１０のステップＳ１００５において実行される光波長情報伝送処理の手順について、図１１を用いて説明する。図１１は、実施例２における光波長情報伝送処理の手順を示すフローチャートである。
【０１３２】
実施例２における波長多重光伝送装置６０は、光波長情報伝送部６６の変換テーブル部６６ａにおいて、光波長情報と対応づけられた光パルスを発光する回数を取得する（ステップＳ１１０１）。具体的には、波長多重光伝送装置６０は、光波長情報伝送部６６の変換テーブル部６６ａにおいて、光波長情報保持部６５から入力された光波長情報に対応づけて記憶した光パルスを発光する回数を検索し、検索した光パルスを発光する回数を出力し、出力した回数を光パルス発光部６６ｃに入力する。
【０１３３】
次に、波長多重光伝送装置６０は、光波長情報伝送部６６の光パルス発光部６６ｃにおいて、光波長情報に対応づけられた回数の光パルスを発光し、トランスポンダ５０に伝送する（ステップＳ１１０２）。具体的には、波長多重光伝送装置６０は、光波長情報伝送部６６の光パルス発光部６６ｃにおいて、発振部６６ｂが出力する時間を測定する基準に基づいて、変換テーブル部６６ａから入力された回数で光パルスを発光し、スイッチ部６７を介して、トランスポンダ５０に伝送する。
【０１３４】
［実施例２における光波長制御処理の手順］
次に、図１０のステップＳ１００７において実行される光波長制御処理の手順について、図１２を用いて説明する。図１２は、実施例２における光波長制御処理の手順を示すフローチャートである。
【０１３５】
実施例２におけるトランスポンダ５０は、光波長制御部５７の光信号検出部５７ａにおいて、伝送された光信号を検出して、電気信号に変換する（ステップＳ１２０１）。具体的には、波長多重光伝送装置６０は、光波長制御部５７の光信号検出部５７ａにおいて、波長多重光伝送装置６０から伝送される光パルスの発光を検出し、電気変換してカウント部５７ｂに入力する。
【０１３６】
次に、トランスポンダ５０は、光波長制御部５７のカウント部５７ｂにおいて、光パルスを受光した回数をカウントする（ステップＳ１２０２）。具体的には、波長多重光伝送装置６０は、光波長制御部５７のカウント部５７ｂにおいて、光信号検出部５７ａから入力された電気信号から、光パルスを受光した回数をカウントし、カウントした結果を、変換テーブル部５７ｃに入力する。
【０１３７】
そして、トランスポンダ５０は、光波長制御部５７の変換テーブル部５７ｃにおいて、光パルスを受光した回数に対応づけられた光波長情報を取得する（ステップＳ１２０３）。具体的には、波長多重光伝送装置６０は、光波長制御部５７の変換テーブル部５７ｃにおいて、カウント部５７ｂから入力された光パルスを受光した回数に対応づけて記憶した光波長情報を検索し、検索した光波長情報を光波長情報部５７ｄに入力する。
【０１３８】
続いて、トランスポンダ５０は、光波長制御部５７の光波長情報部５７ｄにおいて、光波長情報を抽出する（ステップＳ１２０４）。具体的には、波長多重光伝送装置６０は、光波長制御部５７の光波長情報部５７ｄにおいて、変換テーブル部５７ｃから入力されたデータから光波長情報を抽出して出力し、ＣＲＣ演算部５７ｆに入力する。
【０１３９】
次に、トランスポンダ５０は、光波長制御部５７のフレームヘッダ追加部５７ｅにおいて、光波長情報にフレームヘッダを追加する（ステップＳ１２０５）。具体的には、トランスポンダ５０は、光波長制御部５７のフレームヘッダ追加部５７ｅにおいて、光波長情報部５７ｄによって抽出された光波長情報のフレームヘッダを生成し、光波長情報に追加して出力し、ＣＲＣ演算部５７ｆに入力する。
【０１４０】
そして、トランスポンダ５０は、光波長制御部５７のＣＲＣ演算部５７ｆにおいて、光波長情報にＣＲＣチェック用のバイトを付加し、トランスポンダ５０のＥ／Ｏ変換部５３に入力する（ステップＳ１２０６）。具体的には、トランスポンダ５０は、光波長制御部５７のＣＲＣ演算部５７ｆにおいて、光波長情報部５７ｄおよびフレームヘッダ追加部５７ｅから入力された光波長情報に、ＣＲＣチェック用のバイトを付加して出力し、Ｅ／Ｏ変換部５３に入力する。
【０１４１】
なお、上記したように、実施例２においては、波長多重光伝送システムによる処理の手順として、波長多重光伝送装置６０の光信号検出部６８において、光信号の出力レベルが低下したことを検出して、スイッチ部６７のスイッチを光波長情報伝送部６６側に切り替える手順や、波長多重光伝送装置６０の光信号検出部６８において、光信号の出力レベルが規定値に達したことを検出して、スイッチ部６７のスイッチを波長分離部６４側に切り替える手順などを説明したが、この発明はこれに限られるものではなく、スイッチの切り替えがその他のタイミングで行われる場合など、光波長情報伝送部６６における光波長情報伝送処理とトランスポンダ５０の光波長制御部５７における光波長制御処理とが行われる手順であれば、その他の処理の有無や、処理の順番は、いずれでもよい。
【０１４２】
また、実施例２においては、光波長情報伝送処理の手順として、図１１に示す手順を説明したが、この発明はこれに限られるものではなく、光波長情報を、光波長情報に対応づけられた回数の光パルスを発光することでトランスポンダに伝送する処理を含む手順であれば、その他の処理の有無や、処理の順番は、いずれでもよい。また、実施例２においては、光波長制御処理の手順として、図１２に示す手順を説明したが、この発明はこれに限られるものではなく、伝送された光波長情報をＥ／Ｏ変換部に入力する処理を含む手順であれば、その他の処理の有無や、処理の順番は、いずれでもよい。
【０１４３】
［実施例２の効果］
上記したように、実施例２によれば、所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムであって、波長多重光伝送装置は、トランスポンダに出力させる光信号の光波長情報を保持し、保持された光波長情報を、接続ケーブルを用いてトランスポンダに伝送し、トランスポンダは、伝送された光波長情報を利用して、波長多重部に入力する光信号の光波長を制御するので、装置の動作不良の場合などにも、トランスポンダに対して問題なく特定の光波長を設定できることから、光波長を安定して設定することが可能になる。また、人為的な確認や設定によってトランスポンダに対する光波長の設定が行われる手法に比較して、人為的な作業の負担や操作ミスの可能性を少なくすることが可能になる。さらに、光波長制御が正常に実行された場合には、光信号検出部において光信号の出力レベルが規定値に達したことを検出することから、光波長制御が正常に実行されたことを確認することが可能になる。
【０１４４】
また、実施例２によれば、波長多重光伝送装置は、光波長情報を光波長情報に対応づけられた回数の光パルスを発光することでトランスポンダに伝送し、トランスポンダは、伝送された光パルスを受光した回数を取得し、回数に対応づけられた光波長情報に対応する光波長の光信号が波長多重部に入力されるように光信号の光波長を制御するので、装置の動作不良の場合などにも、トランスポンダに対して問題なく特定の光波長を設定できることから、光波長を安定して設定することが可能になる。また、光波長情報に対応づけられた回数の光パルスを発光する手法であることから、光波長情報を伝送する手法などに比較して、光波長をより単純に設定することが可能になる。
【実施例３】
【０１４５】
さて、これまで、実施例１に係る波長多重光伝送システムとして、光波長情報を所定の光波長による光信号に変換する手法を説明し、実施例２に係る波長多重光伝送システムとして、光波長情報に対応づけられた回数の光パルスを発光する手法を説明したが、この発明はこれに限定されるものではなく、所定の光波長情報に対応づけられた周波数で光信号を変調する手法にも、この発明を同様に適用することができる。そこで、以下では、実施例３に係る波長多重光伝送システムとして、所定の光波長情報に対応づけられた周波数で光信号を変調する手法を説明する。
【０１４６】
［実施例３に係る波長多重光伝送システムの概要および特徴］
まず、実施例３に係る波長多重光伝送システムの概要および特徴を説明する。実施例３に係る波長多重光伝送システムは、実施例１および実施例２と同様、所定の光波長による光信号を出力するトランスポンダと、このトランスポンダから入力された光信号の波長を多重する波長多重部および多重された光信号の波長を分離してこのトランスポンダに入力する波長分離部を含んで構成される波長多重光伝送装置と、このトランスポンダおよびこの波長分離部を接続する接続ケーブルとを含んで構成されることを概要とし、光波長を安定して設定することを主たる特徴とする。
【０１４７】
この主たる特徴について簡単に説明すると、実施例３に係る波長多重光伝送システムにおいて、波長多重光伝送装置の光波長情報保持部は、実施例１および実施例２と同様、トランスポンダに出力させる光信号の光波長情報を保持する。
【０１４８】
波長多重光伝送システムにおいて、トランスポンダの光波長制御部は、波長多重部に入力する光信号の光波長を制御する。具体的には、実施例３におけるトランスポンダの光波長制御部は、まず、所定の光波長に対応づけられた周波数で変調した光信号を、波長多重光伝送装置の波長多重部に入力する。すると、波長多重光伝送システムにおいて、波長多重光伝送装置の変調検出部は、トランスポンダから出力される光信号を検出して、この光信号が変調された周波数を検出する。
【０１４９】
そして、波長多重光伝送システムにおいて、波長多重光伝送装置の光波長情報伝送部は、光波長情報保持部に保持された光波長情報を、接続ケーブルを用いてトランスポンダに伝送する。具体的には、実施例３における波長多重光伝送装置の光波長情報伝送部は、光波長情報保持部に保持された光波長情報と、変調検出部によって検出された周波数に対応づけられた光波長情報とを比較し、「一致した場合」に発光することで、光波長情報をトランスポンダに伝送する。
【０１５０】
続いて、波長多重光伝送システムにおいて、トランスポンダの光波長制御部は、伝送された光波長情報を利用して、波長多重部に入力する光信号の光波長を制御する。具体的には、実施例３に係る波長多重光伝送システムにおいて、トランスポンダの光波長制御部は、伝送された発光を受光すると、波長多重光伝送装置の光波長情報伝送部における比較結果が「一致した場合」であると認識し、変調を停止する。
【０１５１】
ここで、実施例３に係る波長多重光伝送システムにおいて、トランスポンダの光波長制御部は、一定時間を測定しており、所定の時間に受光しない場合には、波長多重光伝送装置の光波長情報伝送部における比較結果が「一致しない場合」であると認識し、次の光波長に対応づけられた周波数で変調した光信号を、波長多重光伝送装置の波長多重部に入力する。トランスポンダの光波長制御部は、このような変調を、波長多重光伝送装置の光波長情報伝送部から発光された光信号を受光するまで継続する。
【０１５２】
このようにして、実施例３に係る波長多重光伝送システムは、装置の動作不良の場合などにも、トランスポンダに対して問題なく特定の光波長を設定できることから、光波長を安定して設定することが可能になる。また、トランスポンダと波長多重光伝送装置とが相互にやりとりしながら光波長情報を設定する手法であることから、波長多重光伝送装置からトランスポンダに対して一方的に光波長情報を伝送する手法などに比較して、光波長を確実に設定することが可能になる。
【０１５３】
［実施例３に係る波長多重光伝送システムの構成］
次に、図１３および図１４を用いて、実施例３に係る波長多重光伝送システムの構成を説明する。図１３は、実施例３に係る波長多重光伝送システムの構成を示すブロック図であり、図１４は、変換テーブル部を説明するための図である。
【０１５４】
図１３に示すように、実施例３に係る波長多重光伝送システム７０は、トランスポンダ８０と、波長多重光伝送装置９０と、トランスポンダ８０および波長多重光伝送装置９０を接続する接続ケーブルとから構成される。以下では、トランスポンダ８０および波長多重光伝送装置９０について構成を説明する。なお、実施例１または２に係る波長多重光伝送システムと同様に構成される部については、説明を省略する。
【０１５５】
［トランスポンダ８０の構成］
トランスポンダ８０は、所定の光波長による光信号を出力する手段であり、特にこの発明に密接に関連するものとしては、図１３に示すように、Ｏ／Ｅ変換部８１と、フレーム処理部８２と、Ｅ／Ｏ変換部８３と、スイッチ部８４と、Ｏ／Ｅ変換部８５と、Ｅ／Ｏ変換部８６と、光波長制御部８７とを備える。なお、光波長制御部８７は、特許請求の範囲に記載の「光波長制御手段」に対応する。
【０１５６】
かかるトランスポンダ８０のなかで、Ｏ／Ｅ変換部８１と、フレーム処理部８２と、Ｅ／Ｏ変換部８３と、Ｏ／Ｅ変換部８５と、Ｅ／Ｏ変換部８６とは、実施例１に係る波長多重光伝送システム１０におけるＯ／Ｅ変換部２１と、フレーム処理部２２と、Ｅ／Ｏ変換部２３と、Ｏ／Ｅ変換部２５と、Ｅ／Ｏ変換部２６とにそれぞれ対応し、実施例１と同様に構成されるので、説明を省略し、スイッチ部８４は、実施例２に係る波長多重光伝送システム４０におけるスイッチ部５４に対応し、実施例２と同様に構成されるので、説明を省略し、光波長制御部８７について説明する。
【０１５７】
光波長制御部８７は、伝送された光波長情報を利用して、後述する波長多重部９１に入力する光信号の光波長を制御する手段であり、特にこの発明に密接に関連するものとしては、図１３に示すように、光波長情報部８７ａと、フレームヘッダ追加部８７ｂと、ＣＲＣ演算部８７ｃと、変調制御部８７ｄと、光信号検出部８７ｅと、発振部８７ｆと、カウント部８７ｇとを備える。
【０１５８】
かかる光波長制御部８７のなかで、光波長情報部８７ａと、フレームヘッダ追加部８７ｂと、ＣＲＣ演算部８７ｃとは、実施例１に係る波長多重光伝送システム１０における光波長情報部２７ｄと、フレームヘッダ追加部２７ｅと、ＣＲＣ演算部２７ｆとにそれぞれ対応し、実施例１と同様に構成されるので、説明を省略し、光信号検出部８７ｅは、実施例２に係る波長多重光伝送システム４０における光信号検出部５７ａに対応し、実施例２と同様に構成されるので、説明を省略し、変調制御部８７ｄと、発振部８７ｆと、カウント部８７ｇとについて説明する。
【０１５９】
変調制御部８７ｄは、光信号を、所定の光波長情報に対応づけられた周波数で変調する手段である。具体的には、変調制御部８７ｄは、光波長情報部８７ａおよびカウント部８７ｇと、Ｅ／Ｏ変換部８３との間に接続され、光波長情報部８７ａから入力された光波長情報に対応づけられた周波数で変調するように、カウント部８７ｇから入力された分周ＣＬＫにより変調周波数を生成し、Ｅ／Ｏ変換部８３に入力する。この結果、Ｅ／Ｏ変換部８３から出力される光信号は、変調制御部８７ｄから入力された変調周波数によって、変調されている。
【０１６０】
発振部８７ｆは、時間を測定する基準となる手段である。具体的には、発振部８７ｆは、カウント部８７ｇに接続され、時間を測定する基準を出力し、カウント部８７ｇに入力する。カウント部８７ｇは、時間の経過にしたがってカウントを行う手段である。具体的には、カウント部８７ｇは、光信号検出部８７ｅおよび発振部８７ｆと、光波長情報部８７ａおよび変調制御部８７ｄとに接続され、発振部８７ｆが出力した基準に基づいて一定時間を測定し、所定の時間に光信号検出部８７ｅからの入力がない場合には、タイムアウトを示す信号を、光波長情報部８７ａおよび変調制御部８７ｄに出力する。
【０１６１】
［波長多重光伝送装置９０の構成］
波長多重光伝送装置９０は、トランスポンダ８０から入力された光信号の波長を多重したり、多重された光信号の波長を分離する手段であり、特にこの発明に密接に関連するものとしては、図１３に示すように、波長多重部９１と、増幅部９２と、増幅部９３と、波長分離部９４と、光波長情報保持部９５と、光波長情報伝送部９６と、スイッチ部９７と、変調検出部９８とを備える。なお、光波長情報保持部９５は、特許請求の範囲に記載の「光波長情報保持手段」に対応し、光波長情報伝送部９６は、特許請求の範囲に記載の「光波長情報伝送手段」に対応する。
【０１６２】
かかる波長多重光伝送装置９０のなかで、波長多重部９１と、増幅部９２と、増幅部９３と、波長分離部９４と、光波長情報保持部９５とは、実施例１に係る波長多重光伝送システム１０における波長多重部３１と、増幅部３２と、増幅部３３と、波長分離部３４と、光波長情報保持部３５とにそれぞれ対応し、実施例１と同様に構成されるので、説明を省略し、スイッチ部９７は、実施例２に係る波長多重光伝送システム４０におけるスイッチ部６７と対応し、実施例２と同様に構成されるので、説明を省略し、光波長情報伝送部９６と、変調検出部９８とについて説明する。
【０１６３】
光波長情報伝送部９６は、光波長情報保持部９５によって保持された光波長情報を、トランスポンダ８０および波長分離部９４を接続する接続ケーブルを用いてトランスポンダ８０に伝送する手段であり、特にこの発明に密接に関連するものとしては、図１３に示すように、比較回路部９６ａと、光発光部９６ｂとを備える。
【０１６４】
比較回路部９６ａは、保持された光波長情報と、検出された周波数に対応づけられた光波長情報とを比較する手段である。具体的には、比較回路部９６ａは、変調検出部９８および光波長情報保持部９５と、光発光部９６ｂとに接続され、光波長情報保持部９５から入力された光波長情報と、変調検出部９８から入力された光波長情報とを比較し、比較結果を光発光部９６ｂに入力する。
【０１６５】
光発光部９６ｂは、保持された光波長情報と、検出された周波数に対応づけられた光波長情報との比較結果が一致した場合に、発光する手段である。具体的には、光発光部９６ｂは、比較回路部９６ａとスイッチ部９７との間に接続され、比較回路部９６ａから入力された比較結果が、保持された光波長情報と、検出された周波数に対応づけられた光波長情報とが一致するとの結果である場合に、発光し、スイッチ部９７を介して、トランスポンダ８０に光信号を伝送する。
【０１６６】
変調検出部９８は、トランスポンダ８０から出力される光信号を検出して、光信号が変調された周波数を検出する手段であり、特にこの発明に密接に関連するものとしては、図１３に示すように、光信号検出部９８ａと、サンプリング回路部９８ｂと、変換テーブル部９８ｃとを備える。
【０１６７】
かかる変調検出部９８のなかで、光信号検出部９８ａは、実施例１に係る波長多重光伝送システム１０における光信号検出部３８ａに対応し、実施例１と同様に構成されるので、説明を省略し、サンプリング回路部９８ｂと、変換テーブル部９８ｃとについて説明する。
【０１６８】
サンプリング回路部９８ｂは、光信号の変調周波数を検出する手段である。具体的には、サンプリング回路部９８ｂは、光信号検出部９８ａと変換テーブル部９８ｃとの間に接続され、光信号検出部９８ａから入力された光信号から、光信号の変調周波数を検出して出力し、変換テーブル部９８ｃに入力する。
【０１６９】
変換テーブル部９８ｃは、光波長情報と変調周波数とを対応づけて記憶する手段である。具体的には、変換テーブル部９８ｃは、サンプリング回路部９８ｂと比較回路部９６ａとの間に接続され、サンプリング回路部９８ｂから入力された変調周波数に対応づけて記憶した光波長情報を検索し、検索した光波長情報を比較回路部９６ａに入力する。例えば、変換テーブル部９８ｃは、図１４に示すように、光波長情報と、変調周波数とを対応づけて記憶する。すなわち、変換テーブル部９８ｃは、光波長情報「λ１」を、「１Ｈｚ」との情報と対応づけて記憶し、光波長情報「λ２」を、「２Ｈｚ」との情報と対応づけて記憶し、その他の光波長情報についても同様に、変調周波数と対応づけて記憶する。
【０１７０】
［実施例３に係る波長多重光伝送システムの処理の手順］
次に、図１５を用いて、実施例３に係る波長多重光伝送システムによる処理の手順を説明する。図１５は、実施例３に係る波長多重光伝送システムによる処理の手順を示すフローチャートである。なお、実施例３に係る波長多重光伝送システム７０は、トランスポンダ８０と波長多重光伝送装置９０とを運用している状態にある。以下では、波長多重光伝送システム７０が、日常の運用から、トランスポンダ８０に光波長を設定する運用に切り替えられた際の処理の手順を示すものである。
【０１７１】
まず、実施例３に係る波長多重光伝送システム７０は、トランスポンダ８０を起動（例えば、運用状態からリブートするなど）する（ステップＳ１５０１）。すると、トランスポンダ８０は、Ｅ／Ｏ変換部８３をシャットダウンし、光信号の出力を停止する。そして、波長多重光伝送システム７０は、トランスポンダ８０のスイッチ部８４において、スイッチを光波長制御部８７側に切り替える（ステップＳ１５０２）。
【０１７２】
この時、波長多重光伝送システム７０は、波長多重光伝送装置９０の変調検出部９８において、光信号の出力レベルが低下したことを検出したか否かを判断している（ステップＳ１５０３）。光信号の出力レベルが低下したことを検出しない場合（通常の運用状態の場合）には（ステップＳ１５０３否定）、波長多重光伝送システム７０は、波長多重光伝送装置９０の変調検出部９８において、光信号の出力レベルが低下したことを検出したか否かを判断する処理に戻る。
【０１７３】
一方、光信号の出力レベルが低下したことを検出した場合には（ステップＳ１５０３肯定）、波長多重光伝送システム７０は、波長多重光伝送装置９０のスイッチ部９７において、スイッチを光波長情報伝送部９６側に切り替える（ステップＳ１５０４）。
【０１７４】
また、波長多重光伝送システム７０は、ステップＳ１５０２の後、トランスポンダ８０の光波長制御部８７において、光波長制御処理を実行する（ステップＳ１５０５）。具体的には、波長多重光伝送システム７０は、トランスポンダ８０の光波長制御部８７において、所定の光波長情報（例えば、λ１など）に対応づけられた周波数（例えば、１Ｈｚなど）で変調した光信号が波長多重部９１に入力されるように、光信号の光波長を制御する。
【０１７５】
そして、波長多重光伝送システム７０は、トランスポンダ８０のＥ／Ｏ変換部８３において、所定の光波長情報に対応づけられた周波数で変調された光信号を出力する（ステップＳ１５０６）。
【０１７６】
また、波長多重光伝送システム７０は、ステップＳ１５０４の後、波長多重光伝送装置９０の変調検出部９８において、変調された光信号を検出したか否かを判断している（ステップＳ１５０７）。変調された光信号を検出しない場合には（ステップＳ１５０７否定）、波長多重光伝送システム７０は、波長多重光伝送装置９０の変調検出部９８において、変調された光信号を検出したか否かを判断する処理に戻る。
【０１７７】
一方、変調された光信号を検出した場合には（ステップＳ１５０７肯定）、波長多重光伝送システム７０は、波長多重光伝送装置９０の光波長情報伝送部９６において、光波長情報伝送処理を実行する（ステップＳ１５０８）。具体的には、波長多重光伝送システム７０は、波長多重光伝送装置９０の光波長情報伝送部９６において、光波長情報保持部９５によって保持された光波長情報と、変調検出部９８によって検出された周波数に対応づけられた光波長情報とを比較し、一致した場合に発光することで、光波長情報をトランスポンダに伝送する。
【０１７８】
また、波長多重光伝送システム７０は、ステップＳ１５０６の後、トランスポンダ８０の光波長制御部８７において、光信号を検出したか否かを判断している（ステップＳ１５０９）。この判断は、所定の時間を定めて行われ、この時間に光信号を検出しない場合には（ステップＳ１５０９否定）、波長多重光伝送システム７０は、トランスポンダ８０の光波長制御部８７において、光波長制御処理を実行する処理に戻る。具体的には、波長多重光伝送システム７０は、トランスポンダ８０の光波長制御部８７において、先ほどの光波長情報の次の光波長情報（例えば、λ２など）に対応づけられた周波数（例えば、２Ｈｚなど）で変調した光信号が波長多重部９１に入力されるように、光信号の光波長を制御する。
【０１７９】
一方、光信号を検出した場合には（ステップＳ１５０９肯定）、波長多重光伝送システム７０は、トランスポンダ８０の光波長制御部８７において、光波長制御処理を停止する（ステップＳ１５１０）。具体的には、波長多重光伝送システム７０は、トランスポンダ８０の光波長制御部８７において、光信号を、所定の光波長情報（例えば、λ１など）に対応づけられた周波数（例えば、１Ｈｚなど）で変調する処理を停止する。
【０１８０】
また、波長多重光伝送システム７０は、ステップＳ１５０８の後、波長多重光伝送装置９０の変調検出部９８において、変調されていない光信号を検出したか否かを判断している（ステップＳ１５１２）。変調されていない光信号を検出していない場合には（ステップＳ１５１２否定）、波長多重光伝送システム７０は、波長多重光伝送装置９０の変調検出部９８において、変調されていない光信号を検出したか否かを判断する処理に戻る。
【０１８１】
一方、変調されていない光信号を検出した場合には（ステップＳ１５１２肯定）、波長多重光伝送装置９０のスイッチ部９７において、スイッチを波長分離部９４側に切り替える（ステップＳ１５１３）。
【０１８２】
このようにして、実施例３に係る波長多重光伝送システム７０は、装置の動作不良の場合などにも、トランスポンダに対して問題なく特定の光波長を設定できることから、光波長を安定して設定することが可能になる。また、トランスポンダと波長多重光伝送装置とが相互にやりとりしながら光波長情報を設定する手法であることから、波長多重光伝送装置からトランスポンダに対して一方的に光波長情報を伝送する手法などに比較して、光波長を確実に設定することが可能になる。
【０１８３】
［実施例３における光波長制御処理の手順］
次に、図１５のステップＳ１５０５において実行される光波長制御処理の手順について、図１６を用いて説明する。図１６は、実施例３における光波長制御処理の手順を示すフローチャートである。
【０１８４】
実施例３におけるトランスポンダ８０は、光波長制御部８７の光波長情報部８７ａにおいて、光波長情報を選択する（ステップＳ１６０１）。具体的には、トランスポンダ８０は、光波長制御部８７の光波長情報部８７ａにおいて、例えば、最短波長「λ１」を選択し、ＣＲＣ演算部８７ｃおよび変調制御部８７ｄに入力する。
【０１８５】
次に、トランスポンダ８０は、光波長制御部８７のフレームヘッダ追加部８７ｂにおいて、光波長情報にフレームヘッダを追加する（ステップＳ１６０２）。具体的には、トランスポンダ８０は、光波長制御部８７のフレームヘッダ追加部８７ｂにおいて、光波長情報部８７ａから入力された光波長情報のフレームヘッダを生成し、光波長情報に追加して出力し、ＣＲＣ演算部８７ｃに入力する。
【０１８６】
そして、トランスポンダ８０は、光波長制御部８７のＣＲＣ演算部８７ｃにおいて、光波長情報にＣＲＣチェック用のバイトを付加し、トランスポンダ８０のＥ／Ｏ変換部８３に入力する（ステップＳ１６０３）。具体的には、トランスポンダ８０は、光波長制御部８７のＣＲＣ演算部８７ｃにおいて、光波長情報部８７ａおよびフレームヘッダ部８７ｂから入力された光波長情報に、ＣＲＣチェック用のバイトを付加して出力し、Ｅ／Ｏ変換部８３に入力する。
【０１８７】
続いて、トランスポンダ８０は、光波長制御部８７の変調制御部８７ｄにおいて、選択された光波長情報に対応づけられた変調周波数を生成し、トランスポンダ８０のＥ／Ｏ変換部８３に入力する（ステップＳ１６０４）。具体的には、トランスポンダ８０は、光波長制御部８７の変調制御部８７ｄにおいて、光波長情報部８７ａから入力された光波長情報に対応づけられた変調周波数を生成し、トランスポンダ８０のＥ／Ｏ変換部８３に入力する。
【０１８８】
［実施例３における光波長情報伝送処理の手順］
次に、図１５のステップＳ１５０８において実行される光波長情報伝送処理の手順について、図１７を用いて説明する。図１７は、実施例３における光波長情報伝送処理の手順を示すフローチャートである。
【０１８９】
実施例３における波長多重光伝送装置９０は、光波長情報伝送部９６の比較回路部９６ａにおいて、光波長情報保持部９５によって保持された光波長情報と、変調検出部９８によって検出された周波数に対応づけられた光波長情報とを比較し、比較結果を光発光部９６ｂに入力する（ステップＳ１７０１）。具体的には、波長多重光伝送装置９０は、光波長情報伝送部９６の比較回路部９６ａにおいて、光波長情報保持部９５から入力された光波長情報と、変換テーブル部９８ｃから入力された光波長情報とを比較し、比較結果を光発光部９６ｂに入力する。
【０１９０】
そして、波長多重光伝送装置９０は、光波長情報伝送部９６の光発光部９６ｂにおいて、比較回路部９６ａから入力された比較結果が「一致」の場合に、発光して、トランスポンダに伝送する（ステップＳ１７０２）。
【０１９１】
なお、上記したように、実施例３においては、波長多重光伝送システムによる処理の手順として、波長多重光伝送装置９０の光信号検出部９８において、光信号の出力レベルが低下したことを検出して、スイッチ部９７のスイッチを光波長情報伝送部９６側に切り替える手順などを説明したが、この発明はこれに限られるものではなく、スイッチの切り替えがその他のタイミングで行われる場合など、光波長情報伝送部９６における光波長情報伝送処理と、変調検出部９８における変調検出処理と、トランスポンダ８０の光波長制御部８７における光波長制御処理とが行われる手順であれば、その他の処理の有無や、処理の順番は、いずれでもよい。
【０１９２】
また、実施例３においては、光波長制御処理の手順として、図１６に示す手順を説明したが、この発明はこれに限られるものではなく、所定の光波長情報に対応づけられた周波数で変調した光信号を波長多重部に入力し、伝送された発光を受光して変調を停止する処理を含む手順であれば、その他の処理の有無や、処理の順番は、いずれでもよい。また、実施例３においては、光波長情報伝送処理の手順として、図１７に示す手順を説明したが、この発明はこれに限られるものではなく、保持された光波長情報と、検出された周波数に対応づけられた光波長情報とを比較し、一致した場合に発光することで、光波長情報をトランスポンダに伝送する処理を含む手順であれば、その他の処理の有無や、処理の順番は、いずれでもよい。
【０１９３】
［実施例３の効果］
上記したように、実施例３によれば、所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムであって、波長多重光伝送装置は、トランスポンダに出力させる光信号の光波長情報を保持し、保持された光波長情報を、接続ケーブルを用いてトランスポンダに伝送し、トランスポンダは、伝送された光波長情報を利用して、波長多重部に入力する光信号の光波長を制御するので、装置の動作不良の場合などにも、トランスポンダに対して問題なく特定の光波長を設定できることから、光波長を安定して設定することが可能になる。また、人為的な確認や設定によってトランスポンダに対する光波長の設定が行われる手法に比較して、人為的な作業の負担や操作ミスの可能性を少なくすることが可能になる。さらに、光波長制御が正常に実行された場合には、光信号検出部において光信号の出力レベルが規定値に達したことを検出することから、光波長制御が正常に実行されたことを確認することが可能になる。
【０１９４】
また、実施例３によれば、波長多重光伝送装置は、トランスポンダから出力される光信号を検出して光信号が変調された周波数を検出し、保持された光波長情報と、検出された周波数に対応づけられた光波長情報とを比較し、一致した場合に発光することで、光波長情報をトランスポンダに伝送し、トランスポンダは、所定の光波長情報に対応づけられた周波数で変調した光信号を波長多重部に入力し、また、光波長情報伝送手段によって伝送された発光を受光して変調を停止するので、装置の動作不良の場合などにも、トランスポンダに対して問題なく特定の光波長を設定できることから、光波長を安定して設定することが可能になる。また、トランスポンダと波長多重光伝送装置とが相互にやりとりしながら光波長情報を設定する手法であることから、波長多重光伝送装置からトランスポンダに対して一方的に光波長情報を伝送する手法などに比較して、光波長を確実に設定することが可能になる。
【実施例４】
【０１９５】
ところで、これまで、実施例１〜実施例３に係る波長多重光伝送システムについて説明したが、この発明は上記した実施例以外にも、種々の異なる形態にて実施されてよいものである。そこで、以下では、実施例４に係る波長多重光伝送システムとして、異なる実施例を説明する。
【０１９６】
［光波長情報の保持］
上記の実施例１〜実施例３に係る波長多重光伝送システムにおいては、波長多重光伝送装置が、光波長情報をあらかじめ保持している場合（例えば、波長多重光伝送装置の出荷時に、光波長情報があらかじめ設定される場合など）を想定して説明したが、この発明はこれに限られるものではなく、トランスポンダに光波長を設定する運用に切り替えた際に、波長多重光伝送システムを管理するネットワーク管理装置などから光波長情報が波長多重光伝送装置に送信され、光波長情報を受信した波長多重光伝送装置において光波長情報を保持する場合など、トランスポンダに光波長を設定する際に、波長多重光伝送装置において光波長情報を保持する場合であれば、いずれでもよい。
【０１９７】
［光波長情報の伝送］
また、上記の実施例１に係る波長多重光伝送システムにおいては、光波長情報を所定の光波長による光信号に変換する手法を説明し、実施例２に係る波長多重光伝送システムにおいては、光波長情報に対応づけられた回数の光パルスを発光する手法を説明し、実施例３に係る波長多重光伝送システムにおいては、所定の光波長情報に対応づけられた周波数で光信号を変調する手法を説明したが、この発明はこれに限定されるものではなく、波長多重光伝送装置が、光波長情報を保持し、保持した光波長情報を、接続ケーブルを用いてトランスポンダに伝送し、トランスポンダが、伝送された光波長情報を利用して、波長多重部に入力する光信号の光波長を制御する手法であれば、この発明を同様に適用することができる。
【０１９８】
［トランスポンダ］
また、上記の実施例１〜実施例３においては、複数のトランスポンダを含んで構成される波長多重光伝送システムを説明したが、この発明はこれに限られるものではなく、一つのトランスポンダのみを含んで構成される波長多重光伝送システムにも、この発明を同様に適用することができる。
【０１９９】
また、上記の実施例１〜実施例３においては、光波長の切り替えが可能なトランスポンダを含んで構成される波長多重光伝送システムを説明したが、この発明はこれに限られるものではなく、光波長の切り替えが不可能な固定波長のトランスポンダを含んで構成される波長多重光伝送システムや、光波長の切り替えが可能なトランスポンダと光波長の切り替えが不可能な固定波長のトランスポンダとを含んで構成される波長多重光伝送システムにも、この発明を同様に適用することができる。
【０２００】
［システム構成等］
また、上記の実施例において説明した各処理のうち、自動的におこなわれるものとして説明した処理（例えば、実施例１または実施例２における波長多重光伝送装置の光信号検出部の検出処理など）の全部または一部を手動的におこなうこともでき、あるいは、手動的におこなわれるものとして説明した処理（例えば、トランスポンダの起動など）の全部または一部を公知の方法で自動的におこなう（例えば、波長多重光伝送システムを管理するネットワーク管理装置によって定期的に起動されるなど）こともできる。この他、上記文書中や図面中で示した処理手順、制御手順、具体的名称、各種のデータやパラメータを含む情報については、特記する場合を除いて任意に変更することができる。
【０２０１】
また、図示した各装置の各構成要素（例えば、図２、図８、図１３の各装置の各構成要素など）は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０２０２】
以上のように、本発明に係る波長多重光伝送システムおよび波長多重光伝送方法は、所定の光波長による光信号を出力するトランスポンダと、トランスポンダから入力された光信号の波長を多重する波長多重部および多重された光信号の波長を分離してトランスポンダに入力する波長分離部を含んで構成される波長多重光伝送装置と、トランスポンダおよび波長分離部を接続する接続ケーブルとを含んで構成される波長多重光伝送システムに有用であり、特に、光波長を安定して設定することに適する。
【図面の簡単な説明】
【０２０３】
【図１】実施例１に係る波長多重光伝送システムの概要と特徴を説明するための図である。
【図２】実施例１に係る波長多重光伝送システムの構成を示すブロック図である。
【図３】光波長情報保持部を説明するための図である。
【図４】実施例１に係る波長多重光伝送システムの全体構成を示すブロック図である。
【図５】実施例１に係る波長多重光伝送システムの処理の手順を示すフローチャートである。
【図６】実施例１における光波長情報伝送処理の手順を示すフローチャートである。
【図７】実施例１における光波長制御処理の手順を示すフローチャートである。
【図８】実施例２に係る波長多重光伝送システムの構成を示すブロック図である。
【図９】変換テーブル部を説明するための図である。
【図１０】実施例２に係る波長多重光伝送システムの処理の手順を示すフローチャートである。
【図１１】実施例２における光波長情報伝送処理の手順を示すフローチャートである。
【図１２】実施例２における光波長制御処理の手順を示すフローチャートである。
【図１３】実施例３に係る波長多重光伝送システムの構成を示すブロック図である。
【図１４】変換テーブル部を説明するための図である。
【図１５】実施例３に係る波長多重光伝送システムの処理の手順を示すフローチャートである。
【図１６】実施例３における光波長制御処理の手順を示すフローチャートである。
【図１７】実施例３における光波長情報伝送処理の手順を示すフローチャートである。
【図１８】従来技術を説明するための図である。
【図１９】従来技術を説明するための図である。
【図２０】従来技術を説明するための図である。
【符号の説明】
【０２０４】
１０  波長多重光伝送システム
２０  トランスポンダ
２１  Ｏ／Ｅ変換部
２２  フレーム処理部
２３  Ｅ／Ｏ変換部
２４  分波部
２５  Ｏ／Ｅ変換部
２６  Ｅ／Ｏ変換部
２７  光波長制御部
２７ａ  Ｏ／Ｅ変換部
２７ｂ  フレーム同期部
２７ｃ  ＣＲＣチェック部
２７ｄ  光波長情報部
２７ｅ  フレームヘッダ追加部
２７ｆ  ＣＲＣ演算部
３０  波長多重光伝送装置
３１  波長多重部
３２  増幅部
３３  増幅部
３４  波長分離部
３５  光波長情報保持部
３６  光波長情報伝送部
３６ａ  フレームヘッダ追加部
３６ｂ  ＣＲＣ演算部
３６ｃ  Ｅ／Ｏ変換部
３６ｄ  制御部
３７  合波部
３８  光信号検出部
３８ａ  光信号検出部
３８ｂ  増幅回路部
３８ｃ  Ａ／Ｄ変換部
４０  波長多重光伝送システム
５０  トランスポンダ
６０  波長多重光伝送装置
７０  波長多重光伝送システム
８０  トランスポンダ
９０  波長多重光伝送装置
【図１】
2008028928.tif 000003
【図２】
2008028928.tif 000004
【図３】
2008028928.tif 000005
【図４】
2008028928.tif 000006
【図５】
2008028928.tif 000007
【図６】
2008028928.tif 000008
【図７】
2008028928.tif 000009
【図８】
2008028928.tif 000010
【図９】
2008028928.tif 000011
【図１０】
2008028928.tif 000012
【図１１】
2008028928.tif 000013
【図１２】
2008028928.tif 000014
【図１３】
2008028928.tif 000015
【図１４】
2008028928.tif 000016
【図１５】
2008028928.tif 000017
【図１６】
2008028928.tif 000018
【図１７】
2008028928.tif 000019
【図１８】
2008028928.tif 000020
【図１９】
2008028928.tif 000021
【図２０】
2008028928.tif 000022